(57)【要約】  本開示は、同期のための第1同期信号系列とともに利用される第2同期信号系列を生成する処理装置に関し、  処理装置は、第1の循環シフトおよび第2の循環シフトを、少なくともセルIDに基づいて決定するように構成され、第1の循環シフトおよび第2の循環シフトの少なくとも一方は、第1同期信号系列の指標にも基づいて決定されることにより、第1同期信号系列と関連づけられており、  処理装置は、第1の循環シフトだけ循環的にシフトした第1の2値系列と、第2の循環シフトだけ循環的にシフトした第2の2値系列との2を法とする和に基づいて、第2同期信号系列を生成するように構成され、第1同期信号系列と関連づけられて生成された2つの第2同期信号系列が、相互に循環的にシフトしたものであるならば、生成された2つの第2同期信号系列が、相互に非順次的にシフトしたものとなる。さらに、本開示は、ネットワークノード、クライアント装置、対応する方法、コンピュータプログラム、およびコンピュータプログラム製品にも関する。
2020519141.tif 000002
【特許請求の範囲】
【請求項１】
第1の循環シフトm0および第2の循環シフトm1を決定するステップと、
SSS(secondary synchronization signal)についての第2同期信号(SSS)系列を、前記第1の循環シフトm0および前記第2の循環シフトm1に基づいて生成するステップと、を含む、無線通信方法であって、
m0およびm1は、
【数１】
2020519141.tif 000187
を満たし、
ここで、
gは、1以上の整数であり、
L'は、112であり、
【数２】
2020519141.tif 000188
かつ
【数３】
2020519141.tif 000189
である、無線通信方法。
【請求項２】
前記SSSについての前記SSS系列を、前記第1の循環シフトm0および前記第2の循環シフトm1に基づいて生成する前記ステップは、
前記第1の循環シフトm0だけ循環的にシフトした第1の2値系列と、前記第2の循環シフトm1だけ循環的にシフトした第2の2値系列とに基づいて、前記SSS系列を生成するステップを含み、前記第1の2値系列および前記第2の2値系列は長さが同じである、請求項1に記載の方法。
【請求項３】
前記第1および前記第2の2値系列は、m系列である、請求項2に記載の方法。
【請求項４】
前記第1の2値系列の生成多項式は、g0(x)=x7+x4+1であり、前記第2の2値系列の生成多項式は、g1(x)=x7+x+1である、請求項2または3に記載の方法。
【請求項５】
第1同期信号(PSS: primary synchronization signal)についての第1同期信号系列を生成するステップをさらに含み、前記PSS系列は、
【数４】
2020519141.tif 000190
と関連づけられた、請求項1から4のいずれか一項に記載の方法。
【請求項６】
前記PSS系列は、前記第1および第2の2値系列の一方に基づいて生成される、請求項5に記載の方法。
【請求項７】
前記PSS系列の生成多項式は、前記第1および第2の2値系列の前記生成多項式の一方と同じである、請求項5または6に記載の方法。
【請求項８】
前記PSS系列は、3つのPSS系列のグループ内の1つである、請求項5から7のいずれか一項に記載の方法。
【請求項９】
前記SSS系列の長さLが127である、請求項1から8のいずれか一項に記載の方法。
【請求項１０】
【数５】
2020519141.tif 000191
は3であり、
【数６】
2020519141.tif 000192
である、請求項1から9のいずれか一項に記載の方法。
【請求項１１】
【数７】
2020519141.tif 000193
は336であり、
【数８】
2020519141.tif 000194
である、請求項1から10のいずれか一項に記載の方法。
【請求項１２】
前記第1の循環シフトm0および前記第2の循環シフトm1は、セルID NIDと関連づけられ、
【数９】
2020519141.tif 000195
である、請求項1から11のいずれか一項に記載の方法。
【請求項１３】
無線通信のための処理装置であって、前記処理装置は、請求項1から12のいずれか一項の方法を実行するように構成された、処理装置。
【請求項１４】
請求項1から12のいずれか一項に従って、SSSのための第2同期信号(SSS)系列を生成するように構成された処理装置と、
前記SSS系列に基づいて前記第2同期信号を送信するように構成された送信機とを、
備えた、ネットワークノード。
【請求項１５】
無線通信のためのクライアント装置であって、
第1同期信号(PSS: primary synchronization signal)および第2同期信号(SSS: secondary synchronization signal)を含む通信信号を、受信するように構成された送受信部と、
受信した前記PSSおよびSSSに基づいて決定された、第1の循環シフトm0および第2の循環シフトm1に基づき、セル識別(ID) NIDを決定するように構成された処理装置とを、備え、
前記第1の循環シフトm0および前記第2の循環シフトm1は、
【数１０】
2020519141.tif 000196
を満たし、
ここで、
gは、1以上の整数であり、
L'は、112であり、
【数１１】
2020519141.tif 000197
かつ
【数１２】
2020519141.tif 000198
である、クライアント装置。
【請求項１６】
前記SSSのためのSSS系列は、前記第1の循環シフトm0に対応する第1の2値系列と、前記第2の循環シフトm1に対応する第2の2値系列とで形成され、前記第1の2値系列および前記第2の2値系列は長さが同じである、請求項15に記載のクライアント装置。
【請求項１７】
前記第1の2値系列の生成多項式は、g0(x)=x7+x4+1であり、前記第2の2値系列の生成多項式は、g1(x)=x7+x+1である、請求項16に記載のクライアント装置。
【請求項１８】
前記処理装置は、前記セルID NIDと関連づけられた、前記第1の循環シフトm0および前記第2の循環シフトm1を決定し、前記セルID NIDを、前記第1の循環シフトm0および第2の循環シフトm1から決定するように構成され、
【数１３】
2020519141.tif 000199
である、請求項15から17のいずれか一項に記載のクライアント装置。
【請求項１９】
PSSについてのPSS系列は、
【数１４】
2020519141.tif 000200
と関連づけられている、請求項15から18のいずれか一項に記載のクライアント装置。
【請求項２０】
前記PSSは、同期のための3つのPSS系列の1つに基づいて生成される、請求項15から19のいずれか一項に記載のクライアント装置。
【請求項２１】
前記処理装置は、前記SSSに基づくスクランブル解読および高速ウォルシュ-アダマール変換(FWHT: fast Walsh-Hadamard transform)演算により、同期のためのSSS系列を取得するように構成された、請求項15から20のいずれか一項に記載のクライアント装置。
【請求項２２】
前記処理装置は、前記第1の循環シフトm0および前記第2の循環シフトm1に基づいてSSS系列を生成するように構成されている、請求項15から21のいずれか一項に記載のクライアント装置。
【請求項２３】
【数１５】
2020519141.tif 000201
は3であり、
【数１６】
2020519141.tif 000202
である、請求項15から22のいずれか一項に記載のクライアント装置。
【請求項２４】
【数１７】
2020519141.tif 000203
は336であり、
【数１８】
2020519141.tif 000204
である、請求項15から23のいずれか一項に記載のクライアント装置。
【請求項２５】
前記SSSについてのSSS系列は、長さLが127である、請求項15から24のいずれか一項に記載のクライアント装置。
【請求項２６】
無線通信のための処理装置であって、
PSS系列に基づいて生成された第1同期信号(PSS)、およびSSS系列に基づいて生成された第2同期信号(SSS)を取得し、
受信した前記PSSおよびSSSに基づいて決定された、第1の循環シフトm0および第2の循環シフトm1に基づき、セル識別(ID) NIDを決定するように構成されたプロセッサを備え、
前記第1の循環シフトm0および前記第2の循環シフトm1は、
【数１９】
2020519141.tif 000205
を満たし、
ここで、
gは、1以上の整数であり、
L'は、112であり、
【数２０】
2020519141.tif 000206
かつ
【数２１】
2020519141.tif 000207
である、処理装置。
【請求項２７】
前記SSSのためのSSS系列は、前記第1の循環シフトm0に対応する第1の2値系列と、前記第2の循環シフトm1に対応する第2の2値系列とで形成され、前記第1の2値系列および前記第2の2値系列は長さが同じである、請求項26に記載の処理装置。
【請求項２８】
前記第1の2値系列の生成多項式は、g0(x)=x7+x4+1であり、前記第2の2値系列の生成多項式は、g1(x)=x7+x+1である、請求項27に記載の処理装置。
【請求項２９】
前記プロセッサは、前記第1の循環シフトm0および前記第2の循環シフトm1を決定し、前記セルID NIDを、前記第1の循環シフトm0および前記第2の循環シフトm1から決定するように構成され、
【数２２】
2020519141.tif 000208
である、請求項26から28のいずれか一項に記載の処理装置。
【請求項３０】
前記PSSについてのPSS系列は、
【数２３】
2020519141.tif 000209
と関連づけられている、請求項26から29のいずれか一項に記載の処理装置。
【請求項３１】
前記PSSは、同期のための3つのPSS系列の1つに基づいて生成される、請求項26から30のいずれか一項に記載の処理装置。
【請求項３２】
前記プロセッサは、前記SSSに基づくスクランブル解読および高速ウォルシュ-アダマール変換(FWHT)演算により、同期のためのSSS系列を取得するように構成された、請求項26から31のいずれか一項に記載の処理装置。
【請求項３３】
前記プロセッサは、前記第1の循環シフトm0および前記第2の循環シフトm1に基づいてSSS系列を生成するように構成されている、請求項26から32のいずれか一項に記載の処理装置。
【請求項３４】
【数２４】
2020519141.tif 000210
は3であり、
【数２５】
2020519141.tif 000211
である、請求項26から33のいずれか一項に記載の処理装置。
【請求項３５】
【数２６】
2020519141.tif 000212
は336であり、
【数２７】
2020519141.tif 000213
である、請求項26から34のいずれか一項に記載の処理装置。
【請求項３６】
前記SSSについてのSSS系列は、長さLが127である、請求項26から35のいずれか一項に記載の処理装置。
【請求項３７】
第1同期信号(PSS)および第2同期信号(SSS)を含む通信信号を受信するステップと、
受信した前記PSSおよびSSSに基づいて決定された、第1の循環シフトm0および第2の循環シフトm1に基づき、セル識別(ID) NIDを決定するステップとを、含み、
前記第1の循環シフトm0および前記第2の循環シフトm1は、
【数２８】
2020519141.tif 000214
を満たし、
ここで、
gは、1以上の整数であり、
L'は、112であり、
【数２９】
2020519141.tif 000215
かつ
【数３０】
2020519141.tif 000216
である、無線通信方法。
【請求項３８】
前記SSSのためのSSS系列は、前記第1の循環シフトm0に対応する第1の2値系列と、前記第2の循環シフトm1に対応する第2の2値系列とで形成され、前記第1の2値系列および前記第2の2値系列は長さが同じである、請求項37に記載の方法。
【請求項３９】
前記第1の2値系列の生成多項式は、g0(x)=x7+x4+1であり、前記第2の2値系列の生成多項式は、g1(x)=x7+x+1である、請求項38に記載の方法。
【請求項４０】
第1の循環シフトm0および第2の循環シフトm1に基づき、セル識別(ID) NIDを決定する前記ステップは、
前記セルID NIDと関連づけられた、前記第1の循環シフトm0および前記第2の循環シフトm1を決定し、前記セルID NIDを、前記第1の循環シフトm0および前記第2の循環シフトm1から決定するステップを含み、
【数３１】
2020519141.tif 000217
である、請求項37から39のいずれか一項に記載の方法。
【請求項４１】
PSSについてのPSS系列は、
【数３２】
2020519141.tif 000218
と関連づけられている、請求項37から40のいずれか一項に記載の方法。
【請求項４２】
前記PSSは、同期のための3つのPSS系列の1つに基づいて生成される、請求項37から41のいずれか一項に記載の方法。
【請求項４３】
前記SSSに基づくスクランブル解読および高速ウォルシュ-アダマール変換(FWHT)演算により、同期のためのSSS系列を取得するステップを、さらに含む、請求項37から42のいずれか一項に記載の方法。
【請求項４４】
前記第1の循環シフトm0および前記第2の循環シフトm1に基づいてSSS系列を生成するステップを、さらに含む、請求項37から43のいずれか一項に記載の方法。
【請求項４５】
【数３３】
2020519141.tif 000219
は3であり、
【数３４】
2020519141.tif 000220
である、請求項37から44のいずれか一項に記載の方法。
【請求項４６】
【数３５】
2020519141.tif 000221
は336であり、
【数３６】
2020519141.tif 000222
である、請求項37から45のいずれか一項に記載の方法。
【請求項４７】
前記SSSについてのSSS系列は、長さLが127である、請求項37から46のいずれか一項に記載の方法。
【請求項４８】
コンピュータプログラムを含むコンピュータ可読媒体であって、前記コンピュータプログラムは、コンピュータにより実行されると、前記コンピュータに、請求項1から12および37から47のいずれか一項に記載の方法を実行させる、コンピュータ可読媒体。
【請求項４９】
請求項14に記載のネットワークノードと、請求項15から25のいずれか一項に記載のクライアント装置とを備えた、通信システム。
【請求項５０】
同期のための第1同期信号(PSS)系列とともに利用される第2同期信号(SSS)系列を生成する処理装置(100)であって、
前記処理装置(100)は、第1の循環シフトm0および第2の循環シフトm1を、少なくともセルID NIDに基づいて決定するよう構成され、前記第1の循環シフトm0および前記第2の循環シフトm1の少なくとも一方は、前記第1同期信号(PSS)系列の指標
【数３７】
2020519141.tif 000223
にも基づいて決定されることにより、前記第1同期信号(PSS)系列と関連づけられており、
前記処理装置(100)は、第1の循環シフトm0だけ循環的にシフトした第1の2値系列と、第2の循環シフトm1だけ循環的にシフトした第2の2値系列との2を法とする和に基づいて、前記第2同期信号(SSS)系列を生成するように構成され、第1同期信号(PSS)系列と関連づけられて生成された2つの第2同期信号(SSS)系列が、相互に循環的にシフトしたものであるならば、生成された前記2つの第2同期信号(SSS)系列が、相互に非順次的にシフトしたものとなる、処理装置(100)。
【請求項５１】
前記第1および第2の2値系列は、グループ内の1つであり、前記グループは、
m系列、および
生成された前記第2同期信号(SSS)系列がゴールド系列の1組に属することになるm系列
からなるものである、
請求項50に記載の処理装置(100)。
【請求項５２】
同期に使用可能な第1同期信号(PSS)系列の数は、
1つの第1同期信号(PSS)系列、
2つ以上の第1同期信号(PSS)系列、および
3つの第1同期信号(PSS)系列
からなるグループ内の1つである、請求項50または51に記載の処理装置(100)。
【請求項５３】
生成された前記第2同期信号(SSS)系列の長さLが127であり、L=127である、請求項50から52のいずれか一項に記載の処理装置(100)。
【請求項５４】
前記処理装置(100)が、グループ内の1つまたは複数に従って少なくとも1つのセルID NIDと関連づけられた前記第1の循環シフトm0および前記第2の循環シフトm1を決定するようにさらに構成され、前記グループは、
前記第1の循環シフトm0と前記第2の循環シフトm1とが等しい、m0=m1、
前記第1の循環シフトm0と前記第2の循環シフトm1とが互いに異なる、m0≠m1、
前記第1の循環シフトm0が、前記第2の循環シフトm1より大きい、m0>m1、
前記第1の循環シフトm0が、前記第2の循環シフトm1より小さい、m0<m1、
2つの循環シフト対(m0,m1)および(m0',m1')が、m0'=m0+1およびm1'=m1+1のたかだか一方を満たす、
2つの循環シフト対(m0,m1)および(m0',m1')が、m0'=m0+1およびm1'=m1+1のたかだか一方を満たし、前記第1の循環シフトm0が、前記第2の循環シフトm1よりも大きい、m0>m1、
2つの循環シフト対(m0,m1)および(m0',m1')が、m0'=m0+1およびm1'=m1+1のたかだか一方を満たし、前記第1の循環シフトm0が、前記第2の循環シフトm1よりも小さい、m0<m1、
m0'=m0+1およびm1'=m1+1の双方を満たす2つの循環シフト対(m0,m1)および(m0',m1')が、別々の第1同期信号(PSS)系列指標
【数３８】
2020519141.tif 000224
と関連づけられている、
m0'=m0+1およびm1'=m1+1の双方を満たす2つの循環シフト対(m0,m1)および(m0',m1')が、別々の第1同期信号(PSS)系列指標
【数３９】
2020519141.tif 000225
と関連づけられており、前記第1の循環シフトm0が、前記第2の循環シフトm1よりも大きい、m0>m1、および
m0'=m0+1およびm1'=m1+1の双方を満たす2つの循環シフト対(m0,m1)および(m0',m1')が、別々の第1同期信号(PSS)系列指標
【数４０】
2020519141.tif 000226
と関連づけられており、前記第1の循環シフトm0が、前記第2の循環シフトm1よりも小さい、m0<m1、
からなるものである、
請求項50から53のいずれか一項に記載の処理装置(100)。
【請求項５５】
前記処理装置(100)が、前記第1の循環シフトm0および前記第2の循環シフトm1を、
【数４１】
2020519141.tif 000227
【数４２】
2020519141.tif 000228
として決定するようにさらに構成され、
ここで、
gは、1より大きい整数であり、
L'は、前記第2同期信号(SSS)系列の長さL以下の正の整数であり、
【数４３】
2020519141.tif 000229
は、前記第2同期信号(SSS)系列の指標であり、
【数４４】
2020519141.tif 000230
【数４５】
2020519141.tif 000231
は、前記第1同期信号(PSS)系列の指標であり、
【数４６】
2020519141.tif 000232
【数４７】
2020519141.tif 000233
は、床関数であり、
modは、剰余演算である、
請求項50から54のいずれか一項に記載の処理装置(100)。
【請求項５６】
前記処理装置(100)が、前記第1の循環シフトm0および前記第2の循環シフトm1を、
【数４８】
2020519141.tif 000234
として決定するようにさらに構成され、
ここで、
gは、1より大きい整数であり、
L'は、前記第2同期信号(SSS)系列の長さL以下の正の整数であり、
【数４９】
2020519141.tif 000235
は、前記第2同期信号(SSS)系列の指標であり、
【数５０】
2020519141.tif 000236
【数５１】
2020519141.tif 000237
は、前記第1同期信号(PSS)系列の指標であり、
【数５２】
2020519141.tif 000238
【数５３】
2020519141.tif 000239
は、床関数であり、
modは、剰余演算である、
請求項50から55のいずれか一項に記載の処理装置(100)。
【請求項５７】
前記処理装置(100)が、前記第1の循環シフトm0および前記第2の循環シフトm1を、
【数５４】
2020519141.tif 000240
として決定するようにさらに構成され、
ここで、
gは、1以上の整数であり、
L'は、前記第2同期信号(SSS)系列の長さL以下の正の整数であり、
【数５５】
2020519141.tif 000241
は、前記第2同期信号(SSS)系列の指標であり、
【数５６】
2020519141.tif 000242
【数５７】
2020519141.tif 000243
は、前記第1同期信号(PSS)系列の指標であり、
【数５８】
2020519141.tif 000244
【数５９】
2020519141.tif 000245
は、床関数であり、
modは、剰余演算である、
請求項50から56のいずれか一項に記載の処理装置(100)。
【請求項５８】
前記処理装置(100)が、前記第1の循環シフトm0および前記第2の循環シフトm1を、
【数６０】
2020519141.tif 000246
として決定するようにさらに構成され、
ここで、
gは、1以上の整数であり、
L'は、前記第2同期信号(SSS)系列の長さL以下の正の整数であり、
【数６１】
2020519141.tif 000247
は、前記第2同期信号(SSS)系列の指標であり、
【数６２】
2020519141.tif 000248
【数６３】
2020519141.tif 000249
は、前記第1同期信号(PSS)系列の指標であり、
【数６４】
2020519141.tif 000250
【数６５】
2020519141.tif 000251
は、床関数であり、
modは、剰余演算である、
請求項50から57のいずれか一項に記載の処理装置(100)。
【請求項５９】
第2同期信号(SSS)系列を生成するように構成された、請求項50から58のいずれか一項に記載の処理装置(100)と、
第1同期信号(PSS)系列および前記第2同期信号(SSS)系列に基づき、同期信号を送信するように構成された送受信部(302)とを、
備えた、ネットワークノード(300)。
【請求項６０】
第2同期信号(SSS)系列を生成するように構成された、請求項50から58のいずれか一項に記載の処理装置(100)と、
生成された前記第2同期信号(SSS)系列を利用することにより、第2同期信号(SSS)を受信するように構成された送受信部(502)と、
受信した第1同期信号(PSS)および受信した前記第2同期信号(SSS)に基づいて決定された、第1の循環シフトm0および第2の循環シフトm1に基づいて、セルID NIDを決定するようにさらに構成された前記処理装置(100)とを、
備えたクライアント装置(500)。
【請求項６１】
同期のための第1同期信号(PSS)系列とともに利用される第2同期(SSS)系列を決定する方法(200)であって、前記方法(200)は、
第1の循環シフトm0および第2の循環シフトm1を、少なくともセルID NIDに基づいて決定するステップ(202)であって、前記第1の循環シフトm0および前記第2の循環シフトm1の少なくとも一方は、前記第1同期信号(PSS)系列の指標
【数６６】
2020519141.tif 000252
にも基づいて決定されることにより、前記第1同期信号(PSS)系列と関連づけられている、ステップ(202)と、
第1の循環シフトm0だけ循環的にシフトした第1の2値系列と、第2の循環シフトm1だけ循環的にシフトした第2の2値系列との2を法とする和に基づいて、前記第2同期信号(SSS)系列を生成するステップ(204)であって、第1同期信号(PSS)系列と関連づけられて生成された2つの第2同期信号(SSS)系列が、相互に循環的にシフトしたものであるならば、生成された前記2つの第2同期信号(SSS)系列が、相互に非順次的にシフトしたものとなる、ステップ(204)とを
含む、方法(200)。
【請求項６２】
ネットワークノード(300)の方法(400)であって、
請求項61に記載の第2同期信号(SSS)系列を生成するステップ(402)と、
第1同期信号(PSS)系列および前記第2同期信号(SSS)系列に基づき、同期信号を送信するステップ(404)とを、
含む方法(400)。
【請求項６３】
クライアント装置(500)の方法(600)であって、
請求項61に記載の第2同期信号(SSS)系列を生成するステップ(602)と、
生成された前記第2同期信号(SSS)系列を利用することにより、第2同期信号(SSS)を受信するステップ(604)と、
受信した第1同期信号(PSS)および受信した前記第2同期信号(SSS)に基づいて決定された第1の循環シフトm0および第2の循環シフトm1に基づき、セルID NIDを決定するステップ(606)とを、
含む、方法(600)。
【請求項６４】
コンピュータ上で実行されると、請求項1から12、37から47、および61から63のいずれか一項に記載の方法を実行するプログラムコードを有する、コンピュータプログラム。
【発明の詳細な説明】
【技術分野】
【０００１】
本開示は、処理装置、ならびに、このような処理装置を備えた、ネットワークノードおよびクライアント装置に関する。さらに、本開示は、対応する方法およびコンピュータプログラムにも関する。
【背景技術】
【０００２】
同期は、ほとんどの通信システム、例えば、ロングタームエボリューション(LTE: Long Term Evolution)またはLTEアドバンスト(Advanced)に基づく通信システムにおいて基礎となっている。クライアント装置をネットワークと同期可能とするために、ネットワークの各セル内の少なくとも1つの送受信ポイント(TRP: transmit-receive point)が、複数の周期的同期信号を送信する。これらの同期信号は、近隣のクライアント装置により検出され、適切なセルをサービス提供セルとして特定するために、各クライアント装置により用いられる。したがって、同期により、クライアント装置は、TRPに接続するとともに、以後のデータ通信のため、両者の接続をトラッキングすることが可能となる。
【０００３】
LTEセルラーシステムにおいて、同期信号は、第1同期信号(PSS: primary synchronization signal)と、第2同期信号(SSS: secondary synchronization signal)とを含む。PSSおよびSSSは、各々、一意的な直交周波数分割多重(OFDM: orthogonal frequency division multiplexing)符号で、各周期内、すなわち各5ms以内に送信される。ともに用いられて3×168=504個のセル識別(ID)を伝える、3つのPSSおよび168個のSSSがある。168個のSSSには、PSS系列指標によりさらにスクランブルがかけられ、また、第1および第2の半フレームタイミングを示すようにもスクランブルがかけられる。別々のPSSおよびSSS系列対は、別々のセルIDを伝え、別々のセル内のTRPにより送信される。まず、クライアント装置は、時間領域におけるPSSを検出することにより、おおまかな時間および周波数同期を得るとともに、PSSで伝えられる指標
【０００４】
【数１】
2020519141.tif 000003
【０００５】
を得る。そして、クライアント装置は、SSSが伝える指標
【０００６】
【数２】
2020519141.tif 000004
【０００７】
を、周波数領域にてSSSを検出することにより取得する。そして、セルIDは、
【０００８】
【数３】
2020519141.tif 000005
【０００９】
により与えられる。具体的には、PSS系列は、3つの異なるルート指標による長さ63のZadoff-Chu(ZC)系列に基づいて構築され、SSS系列は、2つの長さ31のm系列を、別々の循環シフトm0およびm1で交互連結して構築されている。これら2つの短いm系列には、
【００１０】
【数４】
2020519141.tif 000006
【００１１】
に基づいてさらにスクランブルがかけられる。すなわち、各PSS系列と関連づけられた168個のSSS系列があり、第2のm系列には、第1のm系列の循環シフトに基づいてスクランブルがかけられる。セルID NIDは、指標
【００１２】
【数５】
2020519141.tif 000007
【００１３】
および指標
【００１４】
【数６】
2020519141.tif 000008
【００１５】
、ならびに循環シフトm0およびm1間の一意の可逆写像により、SSS系列にて符号化される。
【００１６】
第3世代パートナーシッププロジェクト(3GPP: 3rd generation partnership project)は、現在、New Radio(NR)アクセス技術の規定に取り組んでいる。NRでの同期には、3つの異なる循環シフトで純粋二位相偏移変調(BPSK: Binary Phase-Shift Keying)で変調されたm系列に基づき、3NR PSS系列を用いるべきことが合意されている。さらに、NR SSS数は、スクランブル後に約1000となる。すなわち、各PSS系列が、約333のSSS系列に対応することになる。したがって、3 NR PSSで約3×333≒1000個のセルIDが得られ、これは、LTEで得られるセルID数の約2倍である。
【００１７】
現行のLTE SSS設計は、2つの短いm系列を連結しており、高い相互相関の危険に晒されている。これは、2つの短いm系列のうちの1つが同じ循環シフトになるSSS系列対が多く存在するためである。このような相互相関の高い危険性により、特に、ハンドオーバー手順中に、セルID検出が不正確になる可能性が高くなることがある。
【発明の概要】
【課題を解決するための手段】
【００１８】
本発明の実施形態の目的は、従来の解決策の欠点および問題を、軽減または解決する解決策を提供することにある。
【００１９】
上記およびさらに別の目的は、独立請求項の主題により達成される。本発明のさらに有利な実装形態は、従属請求項にて理解され得る。
【００２０】
本発明の第1の側面によると、上述および他の目的は、同期のための第1同期信号系列とともに利用される第2同期信号系列を生成する処理装置にて達成され、
処理装置は、第1の循環シフトm0および第2の循環シフトm1を、少なくともセルID NIDに基づいて決定するように構成され、第1の循環シフトm0および第2の循環シフトm1の少なくとも一方は、第1同期信号系列の指標
【００２１】
【数７】
2020519141.tif 000009
【００２２】
にも基づいて決定されることにより、第1同期信号系列と関連づけられており、
処理装置は、第1の循環シフトm0だけ循環的にシフトした第1の2値系列と、第2の循環シフトm1だけ循環的にシフトした第2の2値系列との2を法とする和に基づいて、第2同期信号系列を生成するように構成され、第1同期信号系列と関連づけられて生成された2つの第2同期信号系列が、相互に循環的にシフトしたものであるならば、生成された2つの第2同期信号系列が、相互に非順次的にシフトしたものとなる。
【００２３】
このように、相互に循環的にシフトしたものである、第1同期信号系列と関連づけられて生成された2つの第2同期信号系列は、相互に順次的にシフトされたものとはならない。換言すれば、双方とも1つの同じ第1同期信号系列と関連づけられた、第1の生成された第2同期信号系列および第2の生成された第2同期信号系列であって、第1の生成された第2同期信号系列は、第2の生成された第2同期信号系列を循環的にシフトさせることにより得られてもよく、かつ/または、第2の生成された第2同期信号系列は、第1の生成された第2同期信号系列を循環的にシフトさせることにより得られてもよい、これら第2同期信号系列は、第1および第2の生成された第2同期信号系列が、相互に非順次的にシフトしたものである場合にのみ可能となる。すなわち、第1の生成された第2同期信号系列は、第2の生成された第2同期信号系列を2ステップ以上循環的にシフトさせることによってのみ得られてもよい、かつ/または第2の生成された第2同期信号系列は、第1の生成された第2同期信号系列を2ステップ以上循環的にシフトさせることによってのみ得られてもよい。
【００２４】
第1の側面による処理装置は、従来の解決策を越えるいくつかの利点を提供する。処理装置の利点は、低い複雑性およびセルIDの効率的な符号化が提供されるように、第2同期信号SSS系列が、単純かつ効率的な方法で生成されることである。
【００２５】
周波数オフセットを考慮した第2同期信号SSS系列間の相互相関を低くすることは、クライアント装置における第2同期信号SSS系列検出の信頼性を向上させることでセル検索時間を短縮した、第2同期信号SSS系列を生成することにより得られる。
【００２６】
また、効率的で複雑性の低いマッピング関数を閉形式で符号化および復号し、セルIDから系列指標を得ること、そしてその逆は、第2同期信号SSS系列の生成および利用により、可能となる。これにより、ネットワークノードおよびクライアント装置の複雑性が低減し、セルIDを決定する迅速かつ効率的な方法が得られる。クライアント装置では、スクランブル解読された受信信号が、効率的に検出される。例えば、高速ウォルシュ-アダマール変換(FWHT: fast Walsh-Hadamard transform)を利用することにより、検出される。
【００２７】
このように、ここで説明した実施形態により、セルIDを第2同期SSS系列へと効率的に符号化することが可能となる。それにより、剰余周波数オフセットが大きくとも、SSS系列間の相互相関を低くすることが保証される。同時に、セルIDから第1および第2の循環シフト値への写像およびその逆を単純化することが可能となる。
【００２８】
第1の側面による処理装置の一実装形態では、第1および第2の2値系列は、グループ内の1つであり、このグループは、
m系列、および
生成された第2同期信号系列がゴールド系列の1組に属することになる、m系列
からなるものである。
【００２９】
本実装形態の利点は、第2同期信号SSS系列を生成するのに利用される第1および第2の2値系列が、m系列である場合、特に、これらが、生成された第2同期信号SSS系列がゴールド系列の1組に属することになるm系列である場合に、生成されたSSS系列間の低い相互相関を保証することである。
【００３０】
第1の側面による処理装置の一実装形態では、第2同期信号SSS系列を生成するのに利用される第1および第2の2値系列の一方は、同じ2値系列、例えば、同じ疑似ランダム最大長系列であり、1つまたは複数の第1同期信号PSS系列を生成するのに用いられる。
【００３１】
第1の側面による処理装置の一実装形態では、同期に使用可能な第1同期信号系列の数は、グループ内の1つであり、このグループは、
1つの第1同期信号系列、
2つ以上の第1同期信号系列、および
3つの第1同期信号系列、
からなるものである。
【００３２】
本実装形態の利点は、同期信号の生成が柔軟となり、多数のセルIDに適応可能となることである。1つの第1同期信号PSS系列を用いることにより、第1同期信号検出の複雑性が低減可能となる。2つ以上、例えば3つの第1同期信号PSS系列を使用することにより、第2同期信号SSS系列のサブセットを各第1同期信号PSS系列に関連づけることが可能となる。これにより、第1同期信号の検出に成功した後は、第2同期信号SSS系列のサブセットのみを検出すればよく、これにより、第2同期信号SSS検出の複雑性が低くなる。したがって、第1同期信号および第2同期信号の検出複雑性間のトレードオフが得られるため、本実装形態は有利である。
【００３３】
第1の側面による処理装置の一実装形態では、生成された第2同期信号系列は、長さLが127であり、L=127である。
【００３４】
本実装形態の利点は、第2同期信号(SSS)の生成は、現在入手可能および近々入手可能な多くの無線システムに利用可能であり得ることである。
【００３５】
第1の側面による処理装置の一実装形態では、処理装置は、グループ内の1つまたは複数に従って少なくとも1つのセルID NIDと関連づけられた第1の循環シフトm0および第2の循環シフトm1を決定するようにさらに構成された処理装置であり、このグループは、
第1の循環シフトm0と第2の循環シフトm1とが等しい、m0=m1、
第1の循環シフトm0と第2の循環シフトm1とが互いに異なる、m0≠m1、
第1の循環シフトm0は、第2の循環シフトm1より大きい、m0>m1、
第1の循環シフトm0は、第2の循環シフトm1より小さい、m0<m1、
2つの循環シフト対(m0,m1)および(m0',m1')は、m0'=m0+1およびm1'=m1+1のたかだか一方を満たす、
2つの循環シフト対(m0,m1)および(m0',m1')は、m0'=m0+1およびm1'=m1+1のたかだか一方を満たし、第1の循環シフトm0は、第2の循環シフトm1よりも大きい、m0>m1、
2つの循環シフト対(m0,m1)および(m0',m1')は、m0'=m0+1およびm1'=m1+1のたかだか一方を満たし、第1の循環シフトm0は、第2の循環シフトm1よりも小さい、m0<m1、
m0'=m0+1およびm1'=m1+1の双方を満たす2つの循環シフト対(m0,m1)および(m0',m1')は、別々の第1同期信号系列指標と関連づけられている、
m0'=m0+1およびm1'=m1+1の双方を満たす2つの循環シフト対(m0,m1)および(m0',m1')は、別々の第1同期信号系列指標と関連づけられており、第1の循環シフトm0は、第2の循環シフトm1よりも大きい、m0>m1、および
m0'=m0+1およびm1'=m1+1の双方を満たす2つの循環シフト対(m0,m1)および(m0',m1')は、別々の第1同期信号系列指標と関連づけられており、第1の循環シフトm0は、第2の循環シフトm1よりも小さい、m0<m1、
からなるものである。
【００３６】
本実装形態の利点は、第2同期信号SSS系列を柔軟に生成することが可能となり、大きな周波数オフセットに対してロバスト性が得られることである。これはまた、5msのタイミングをさらに符号化し、かつ/または、他の情報を第2同期信号SSS系列へ追加することが可能となるため、有利である。
【００３７】
第1の側面による処理装置の一実装形態では、処理装置は、第1の循環シフトm0および第2の循環シフトm1を、
【００３８】
【数８】
2020519141.tif 000010
【００３９】
として決定するようにさらに構成され、
ここで、
gは、1より大きい整数であり、
L'は、第2同期信号系列の長さL以下の正の整数であり、
【００４０】
【数９】
2020519141.tif 000011
【００４１】
は、第2同期信号系列の指標であり、
【００４２】
【数１０】
2020519141.tif 000012
【００４３】
【数１１】
2020519141.tif 000013
【００４４】
は、第1同期信号系列の指標であり、
【００４５】
【数１２】
2020519141.tif 000014
【００４６】
【数１３】
2020519141.tif 000015
【００４７】
は、床関数であり、
modは、剰余演算である。
【００４８】
本実装形態の利点は、大きな周波数オフセットに対するロバスト性が保証されることである。また、第2の2値系列の全ての循環シフトm1を完全に利用することも可能となる。例えば、L'=Lとすることにより、第2同期信号SSS系列へと符号化されるセルIDの総数が与えられた場合に、第1の2値系列の候補循環シフトm0数を最小限に保つことが可能となる。これは、クライアント装置にて第2同期信号SSS系列を検出することが、このように低い複雑性で実装可能であるため、有利である。換言すれば、クライアント装置は、まず、第1の2値系列の循環シフトの前提数が最小で、受信信号系列をスクランブル解読することができ、第1の2値系列の正確な循環シフトを前提として、スクランブル解読した後、残りの受信信号系列が、ある未知の循環シフトでの第2の2値系列のみであり、低コストの高速ウォルシュ-アダマール変換FWHT演算を利用することにより検出可能である。
【００４９】
第1の側面による処理装置の一実装形態では、処理装置は、第1の循環シフトm0および第2の循環シフトm1を、
【００５０】
【数１４】
2020519141.tif 000016
【００５１】
として決定するようにさらに構成され、
ここで、
gは、1より大きい整数であり、
L'は、第2同期信号系列の長さL以下の正の整数であり、
【００５２】
【数１５】
2020519141.tif 000017
【００５３】
は、第2同期信号系列の指標であり、
【００５４】
【数１６】
2020519141.tif 000018
【００５５】
【数１７】
2020519141.tif 000019
【００５６】
は、第1同期信号系列の指標であり、
【００５７】
【数１８】
2020519141.tif 000020
【００５８】
【数１９】
2020519141.tif 000021
【００５９】
は、床関数であり、
modは、剰余演算である。
【００６０】
本実装形態の利点は、大きな周波数オフセットに対するロバスト性が保証されることである。また、これにより、クライアント装置にて、スクランブル解読およびFWHT演算に基づき、第2同期信号SSS系列を低コストで検出することが可能となる。さらに、本実装形態により、m0<m1(またはm0>m1も等価)を全てが満たす第1の循環シフトm0および第2の循環シフトm1が生成される。これにより、5msのタイミングをさらに符号化し、かつ/または、単にm0とm1の値を交換することにより他の情報を第2同期信号SSS系列へ追加することが可能となる。あるいは、第2同期信号SSS系列の前提数を後に増加することが有用とみなされれば、時代遅れとならない解決策が構築される。
【００６１】
第1の側面による処理装置の一実装形態では、処理装置は、第1の循環シフトm0および第2の循環シフトm1を、
【００６２】
【数２０】
2020519141.tif 000022
【００６３】
として決定するようにさらに構成され、
ここで、
gは、1以上の整数であり、
L'は、第2同期信号系列の長さL以下の正の整数であり、
【００６４】
【数２１】
2020519141.tif 000023
【００６５】
は、第2同期信号系列の指標であり、
【００６６】
【数２２】
2020519141.tif 000024
【００６７】
【数２３】
2020519141.tif 000025
【００６８】
は、第1同期信号系列の指標であり、
【００６９】
【数２４】
2020519141.tif 000026
【００７０】
【数２５】
2020519141.tif 000027
【００７１】
は、床関数であり、
modは、剰余演算である。
【００７２】
本実装形態の利点は、大きな周波数オフセットに対するロバスト性が保証されることである。また、これにより、クライアント装置にて、スクランブル解読およびFWHT演算に基づき、第2同期信号SSS系列を低コストで検出することが可能となる。さらに、g=1のとき、本実装形態により、m0'=m0+1およびm1'=m1+1の双方を満たす2つの循環シフト対(m0,m1)および(m0',m1')を選択することが可能になるものの、生成された2つの第2同期信号SSS系列の対応する対を、別々の第1同期信号PSS系列指標と関連づけることが可能となる。このように、循環シフト対(m0,m1)のより有効な値が選択可能となり、これにより、SSS系列長を増やすことなく、より多くのセルIDを第2同期信号SSS系列に符号化することが、潜在的に可能となる。
【００７３】
第1の側面による処理装置の一実装形態では、処理装置は、第1の循環シフトm0および第2の循環シフトm1を、
【００７４】
【数２６】
2020519141.tif 000028
【００７５】
として決定するようにさらに構成され、
ここで、
gは、1以上の整数であり、
L'は、第2同期信号系列の長さL以下の正の整数であり、
【００７６】
【数２７】
2020519141.tif 000029
【００７７】
は、第2同期信号系列の指標であり、
【００７８】
【数２８】
2020519141.tif 000030
【００７９】
【数２９】
2020519141.tif 000031
【００８０】
は、第1同期信号系列の指標であり、
【００８１】
【数３０】
2020519141.tif 000032
【００８２】
【数３１】
2020519141.tif 000033
【００８３】
は、床関数であり、
modは、剰余演算である。
【００８４】
本実装形態の利点は、大きな周波数オフセットに対するロバスト性が保証されることである。また、これにより、クライアント装置にて、スクランブル解読およびFWHT演算に基づき、第2同期信号SSS系列を低コストで検出することが可能となる。さらに、g=1のとき、本実装形態により、m0'=m0+1およびm1'=m1+1の双方を満たす2つの循環シフト対(m0,m1)および(m0',m1')を選択することが可能になるものの、生成された2つの第2同期信号SSS系列の対応する対を、別々の第1同期信号PSS系列指標と関連づけることが可能となる。このように、循環シフト対(m0,m1)のより有効な値が選択可能となり、これにより、SSS系列長を増やすことなく、より多くのセルIDを第2同期信号SSS系列に符号化することが、潜在的に可能となる。そのうえ、本実装形態により、m0<m1(またはm0>m1も等価)を全てが満たす第1の循環シフトm0および第2の循環シフトm1が生成される。これにより、5msのタイミングをさらに符号化し、かつ/または、単にm0とm1の値を交換することにより他の情報を第2同期信号SSS系列へ追加することが可能となる。あるいは、第2同期信号SSS系列の前提数を後に増加することが有用とみなされれば、時代遅れとならない解決策が構築される。
【００８５】
本発明の第2の側面によると、上述および他の目的が、ネットワークノードで達成され、ネットワークノードは、
第1の側面による任意の実装形態、または第1の側面それ自体により、第2同期信号系列を生成するように構成された処理装置と、
第1同期信号系列および第2同期信号系列に基づき、同期信号を送信するように構成された送受信部とを、
備える。
【００８６】
第2の側面によるネットワークノードは、従来の解決策を越えるいくつかの利点を提供する。ネットワークノードの利点は、第2同期信号SSS系列を生成する単純で効率の良い方法を可能とすることである。
【００８７】
本発明の第3の側面によると、上述および他の目的が、クライアント装置で達成され、クライアント装置は、
第1の側面による任意の実装形態、または第1の側面それ自体により、第2同期信号系列を生成するように構成された処理装置と、
生成された第2同期信号系列を利用することにより、第2同期信号を受信するように構成された送受信部と、
受信した第1同期信号および受信した第2同期信号に基づいて決定された、第1の循環シフトm0および第2の循環シフトm1に基づき、セルID NIDを決定するようにさらに構成された処理装置とを、
備える。
【００８８】
第3の側面によるクライアント装置は、従来の解決策を越えるいくつかの利点を提供する。クライアント装置の利点は、第2同期信号SSS系列を単純かつ効率的に生成する方法、第2同期信号SSS系列を検出する複雑性の低い手法、検出された第2同期信号SSS系列から決定する、第1の循環シフトm0および第2の循環シフトm1から、セルID NIDを復号する、単純で効率的な方法が可能になることである。
【００８９】
本発明の第4の側面によると、上述および他の目的は、同期のための第1同期信号系列とともに利用される第2同期系列を決定する方法にて達成され、この方法は、
第1の循環シフトm0および第2の循環シフトm1を、少なくともセルID NIDに基づいて決定するステップであって、第1の循環シフトm0および第2の循環シフトm1の少なくとも一方は、第1同期信号系列の指標
【００９０】
【数３２】
2020519141.tif 000034
【００９１】
にも基づいて決定されることにより、第1同期信号系列と関連づけられている、ステップと、
第1の循環シフトm0だけ循環的にシフトした第1の2値系列と、第2の循環シフトm1だけ循環的にシフトした第2の2値系列との2を法とする和に基づいて、第2同期信号系列を生成するステップであって、第1同期信号系列と関連づけられて生成された2つの第2同期信号系列が、相互に循環的にシフトしたものであるならば、生成された2つの第2同期信号系列が、相互に非順次的にシフトしたものとなる、ステップとを、含む。
【００９２】
第4の側面による方法の一実装形態では、第1および第2の2値系列は、グループ内の1つであり、このグループは、
m系列、および
生成された第2同期信号系列がゴールド系列の1組に属することになる、m系列
からなるものである。
【００９３】
第4の側面による方法の一実装形態では、同期に使用可能な第1同期信号系列の数は、グループ内の1つであり、このグループは、
1つの第1同期信号系列、
2つ以上の第1同期信号系列、および
3つの第1同期信号系列、
からなるものである。
【００９４】
第4の側面による方法の一実装形態では、生成された第2同期信号系列は、長さLが127であり、L=127である。
【００９５】
第4の側面による方法の一実装形態では、この方法は、グループ内の1つまたは複数に従って少なくとも1つのセルID NIDと関連づけられた第1の循環シフトm0および第2の循環シフトm1を決定するステップを、さらに含み、このグループは、
第1の循環シフトm0と第2の循環シフトm1とが等しい、m0=m1、
第1の循環シフトm0と第2の循環シフトm1とが互いに異なる、m0≠m1、
第1の循環シフトm0は、第2の循環シフトm1より大きい、m0>m1、
第1の循環シフトm0は、第2の循環シフトm1より小さい、m0<m1、
2つの循環シフト対(m0,m1)および(m0',m1')は、m0'=m0+1およびm1'=m1+1のたかだか一方を満たす、
2つの循環シフト対(m0,m1)および(m0',m1')は、m0'=m0+1およびm1'=m1+1のたかだか一方を満たし、第1の循環シフトm0は、第2の循環シフトm1よりも大きい、m0>m1、
2つの循環シフト対(m0,m1)および(m0',m1')は、m0'=m0+1およびm1'=m1+1のたかだか一方を満たし、第1の循環シフトm0は、第2の循環シフトm1よりも小さい、m0<m1、
m0'=m0+1およびm1'=m1+1の双方を満たす2つの循環シフト対(m0,m1)および(m0',m1')は、別々の第1同期信号系列指標と関連づけられている、
m0'=m0+1およびm1'=m1+1の双方を満たす2つの循環シフト対(m0,m1)および(m0',m1')は、別々の第1同期信号系列指標と関連づけられており、第1の循環シフトm0は、第2の循環シフトm1よりも大きい、m0>m1、および
m0'=m0+1およびm1'=m1+1の双方を満たす2つの循環シフト対(m0,m1)および(m0',m1')は、別々の第1同期信号系列指標と関連づけられており、第1の循環シフトm0は、第2の循環シフトm1よりも小さい、m0<m1、
からなるものである。
【００９６】
第4の側面による方法の一実装形態では、この方法は、第1の循環シフトm0および第2の循環シフトm1を、
【００９７】
【数３３】
2020519141.tif 000035
【００９８】
として決定するステップを、さらに含み、
ここで、
gは、1より大きい整数であり、
L'は、第2同期信号系列の長さL以下の正の整数であり、
【００９９】
【数３４】
2020519141.tif 000036
【０１００】
は、第2同期信号系列の指標であり、
【０１０１】
【数３５】
2020519141.tif 000037
【０１０２】
【数３６】
2020519141.tif 000038
【０１０３】
は、第1同期信号系列の指標であり、
【０１０４】
【数３７】
2020519141.tif 000039
【０１０５】
【数３８】
2020519141.tif 000040
【０１０６】
は、床関数であり、
modは、剰余演算である。
【０１０７】
第4の側面による方法の一実装形態では、この方法は、第1の循環シフトm0および第2の循環シフトm1を、
【０１０８】
【数３９】
2020519141.tif 000041
【０１０９】
として決定するステップを、さらに含み、
ここで、
gは、1より大きい整数であり、
L'は、第2同期信号系列の長さL以下の正の整数であり、
【０１１０】
【数４０】
2020519141.tif 000042
【０１１１】
は、第2同期信号系列の指標であり、
【０１１２】
【数４１】
2020519141.tif 000043
【０１１３】
【数４２】
2020519141.tif 000044
【０１１４】
は、第1同期信号系列の指標であり、
【０１１５】
【数４３】
2020519141.tif 000045
【０１１６】
【数４４】
2020519141.tif 000046
【０１１７】
は、床関数であり、
modは、剰余演算である。
【０１１８】
第4の側面による方法の一実装形態では、この方法は、第1の循環シフトm0および第2の循環シフトm1を、
【０１１９】
【数４５】
2020519141.tif 000047
【０１２０】
として決定するステップを、さらに含み、
ここで、
gは、1以上の整数であり、
L'は、第2同期信号系列の長さL以下の正の整数であり、
【０１２１】
【数４６】
2020519141.tif 000048
【０１２２】
は、第2同期信号系列の指標であり、
【０１２３】
【数４７】
2020519141.tif 000049
【０１２４】
【数４８】
2020519141.tif 000050
【０１２５】
は、第1同期信号系列の指標であり、
【０１２６】
【数４９】
2020519141.tif 000051
【０１２７】
【数５０】
2020519141.tif 000052
【０１２８】
は、床関数であり、
modは、剰余演算である。
【０１２９】
第4の側面による方法の一実装形態では、この方法は、第1の循環シフトm0および第2の循環シフトm1を、
【０１３０】
【数５１】
2020519141.tif 000053
【０１３１】
として決定するステップを、さらに含み、
ここで、
gは、1以上の整数であり、
L'は、第2同期信号系列の長さL以下の正の整数であり、
【０１３２】
【数５２】
2020519141.tif 000054
【０１３３】
は、第2同期信号系列の指標であり、
【０１３４】
【数５３】
2020519141.tif 000055
【０１３５】
【数５４】
2020519141.tif 000056
【０１３６】
は、第1同期信号系列の指標であり、
【０１３７】
【数５５】
2020519141.tif 000057
【０１３８】
【数５６】
2020519141.tif 000058
【０１３９】
は、床関数であり、
modは、剰余演算である。
【０１４０】
第4の側面によるあらゆる方法の利点は、第1の側面による請求項の対応する処理装置の利点と同じである。
【０１４１】
本発明の第5の側面によると、上述および他の目的が、ネットワークノードのための方法で達成され、この方法は、
第4の側面による方法により、第2同期信号系列を生成するステップと、
第1同期信号系列および第2同期信号系列に基づき、同期信号を送信するステップとを、含む。
【０１４２】
第5の側面によるあらゆる方法の利点は、第2の側面による請求項の対応するネットワークノードの利点と同じである。
【０１４３】
本発明の第6の側面によると、上述および他の目的が、クライアント装置のための方法で達成され、この方法は、
第4の側面による方法により、第2同期信号系列を生成するステップと、
生成された第2同期信号系列を利用することにより、第2同期信号を受信するステップと、
受信した第1同期信号および受信した第2同期信号に基づいて決定された第1の循環シフトm0および第2の循環シフトm1に基づき、セルID NIDを決定するステップとを、含む。
【０１４４】
第6の側面によるあらゆる方法の利点は、第3の側面による請求項の対応するクライアント装置の利点と同じである。
【０１４５】
また、本開示は、処理手段により実行されると、この処理手段に、本開示による任意の方法を実行させるコード手段を特徴とするコンピュータプログラムにも関する。さらに、本開示は、コンピュータプログラム製品にも関し、コンピュータプログラム製品は、コンピュータ可読媒体と、上記のコンピュータプログラムとを備え、上記のコンピュータプログラムは、コンピュータ可読媒体内に含まれ、グループからの1つまたは複数を備え、このグループは、ROM(Read-Only Memory)、PROM(Programmable ROM)、EPROM(Erasable PROM)、フラッシュメモリ、EEPROM(Electrically EPROM)およびハードディスクによるものである。
【０１４６】
本開示のさらなる適用および利点は、以下の詳細な説明から明らかになる。
【０１４７】
添付の図面は、本発明の様々な実施形態を明確に説明することを意図したものである。
【図面の簡単な説明】
【０１４８】
【図１】本発明の実施形態による処理装置を示す図である。
【図２】本発明の実施形態による処理装置のための方法を示す図である。
【図３】本発明の実施形態によるネットワークノードを示す図である。
【図４】本発明の実施形態によるネットワークノードのための方法を示す図である。
【図５】本発明の実施形態によるクライアント装置を示す図である。
【図６】本発明の実施形態によるクライアント装置のための方法を示す図である。
【図７】本発明の実施形態による無線システムを示す図である。
【図８】本発明の実施形態による決定した循環シフトの説明図である。
【図９】本発明の実施形態による決定した循環シフトの他の説明図である。
【図１０】本発明の実施形態による決定した循環シフトの他の説明図である。
【図１１】本発明の実施形態による決定した循環シフトの他の説明図である。
【図１２】本発明の実施形態による決定した循環シフトの他の説明図である。
【図１３】本発明の実施形態による決定した循環シフトの他の説明図である。
【発明を実施するための形態】
【０１４９】
図1は、本発明の実施形態による処理装置100を示す図である。処理装置100は、メモリ104に接続したプロセッサ102を備えている。プロセッサ102とメモリ104とは、当技術分野で既知の通信手段106により、互いに接続している。一実施形態では、プロセッサ102は、本発明の実施形態による第2同期信号SSS系列の生成を実行するためだけの専用プロセッサであってもよい。ある種の実施形態では、プロセッサ102は、上記とは異なり、ネットワークノードまたはクライアント装置における他のプロセッサと共用され、さらに別の処理を実行してもよい。
【０１５０】
処理装置100は、同期のための第1同期信号PSS系列とともに利用される第2同期信号SSS系列を生成するためのものであり、例えば、プロセッサ102により、少なくともセルID NIDに基づき、第1の循環シフトm0および第2の循環シフトm1を決定するように構成される。ここで、第1の循環シフトm0および第2の循環シフトm1の少なくとも一方は、第1同期信号PSS系列の指標
【０１５１】
【数５７】
2020519141.tif 000059
【０１５２】
にも基づいて決定されることにより、第1同期信号PSS系列と関連づけられている。
【０１５３】
処理装置100は、例えば、プロセッサ102により、第1の循環シフトm0だけ循環的にシフトした第1の2値系列と、第2の循環シフトm1だけ循環的にシフトした第2の2値系列との2を法とする和に基づいて、第2同期信号SSS系列を生成するようにさらに構成されていて、第1同期信号PSS系列と関連づけられて生成された2つの第2同期信号SSS系列が、相互に循環的にシフトしたものであるならば、これら生成された2つの第2同期信号SSS系列が、相互に非順次的にシフトしたものとなるようになっている。
【０１５４】
図2は、図1に示すような処理装置100にて実行され得る、対応する方法200のフローチャートを示す。
【０１５５】
方法200は、第1の循環シフトm0および第2の循環シフトm1を、少なくともセルID NIDに基づいて決定する第1ステップ202を含み、ここで、第1の循環シフトm0および第2の循環シフトm1の少なくとも一方は、第1同期信号PSS系列の指標
【０１５６】
【数５８】
2020519141.tif 000060
【０１５７】
にも基づいて決定されることにより、第1同期信号PSS系列と関連づけられている。
【０１５８】
また、本方法は、第1の循環シフトm0だけ循環的にシフトした第1の2値系列と、第2の循環シフトm1だけ循環的にシフトした第2の2値系列との2を法とする和に基づいて、第2同期信号SSS系列を生成する第2ステップ204を含み、第1同期信号PSS系列と関連づけられて生成された2つの第2同期信号SSS系列が、相互に循環的にシフトしたものであるならば、これら生成された2つの第2同期信号SSS系列が、相互に非順次的にシフトしたものとなるようになっている。
【０１５９】
図3は、本発明の実施形態によるネットワークノード300を示す図である。図3に示す実施形態では、ネットワークノード300は、処理装置100と、送受信部302と、メモリ304とを備えている。処理装置100は、当技術分野で既知の通信手段306により、送受信部302およびメモリ304と接続している。さらに、ネットワークノード300は、送受信部302に接続したアンテナ308を備えており、これは、ネットワークノード300が、無線通信システムでの無線通信用に構成されていることを意味している。
【０１６０】
ネットワークノード300の処理装置100は、ここで説明した方法200の実施形態のいずれか1つにより、第2同期信号SSS系列を生成するように構成されている。ネットワークノード300の送受信部302は、第1同期信号PSS系列および第2同期信号SSS系列に基づき、同期信号を送信するように構成されている。
【０１６１】
図4は、図3に示すようなネットワークノード300にて実行され得る、対応する方法400のフローチャートを示す。方法400は、ここで説明した方法200の実施形態のいずれか1つにより、第2同期信号SSS系列を生成する、第1ステップ402を含む。この方法は、第1同期信号PSS系列および第2同期信号SSS系列に基づき、同期信号を送信する、第2ステップ404をさらに含む。
【０１６２】
図5は、本発明の実施形態によるクライアント装置500を示す図である。図5に示す実施形態では、クライアント装置500は、処理装置100と、送受信部502と、メモリ504とを備えている。処理装置100は、当技術分野で既知の通信手段506により、送受信部502およびメモリ504と接続している。さらに、クライアント装置500は、送受信部502に接続したアンテナ508を備えており、これは、クライアント装置500が、無線通信システムでの無線通信用に構成されていることを意味している。
【０１６３】
クライアント装置500の処理装置100は、ここで説明した実施形態のいずれか1つにより、第2同期信号SSS系列を生成するように構成されている。クライアント装置500の送受信部502は、生成された第2同期信号SSS系列を利用することにより、第2同期信号SSSを受信するように構成されている。さらに、処理装置100は、受信した第1同期信号PSSおよび受信した第2同期信号SSSに基づいて決定された第1の循環シフトm0および第2の循環シフトm1に基づき、セルID NIDを決定するように構成されている。
【０１６４】
図6は、図5に示すようなクライアント装置500にて実行され得る、対応する方法600のフローチャートを示す。方法600は、ここで説明した方法200の実施形態のいずれかにより、第2同期信号SSS系列を生成する、第1ステップ602を含む。この方法は、生成された第2同期信号SSS系列を利用することにより、第2同期信号SSSを受信する、第2ステップ604をさらに含む。また、この方法は、受信した第1同期信号PSSおよび受信した第2同期信号SSSに基づいて決定された第1の循環シフトm0および第2の循環シフトm1に基づき、セルID NIDを決定する、第3ステップ606を含む。
【０１６５】
図7は、一実施形態による無線通信システム700を示す。無線通信システム700は、無線通信システム700にて動作するように構成された、ネットワークノード300およびクライアント装置500を備えている。さらに、ネットワークノード300およびクライアント装置500は、各々、処理装置100を備えている。無線通信システム700では、同期信号が、ネットワークノード300により送信され、クライアント装置500により受信される。同期信号に基づき、クライアント装置500は、本文書に説明するように、ネットワークノード300との同期をとり、ネットワークノード300のセルIDを取得する。同期信号は、第1同期信号PSS系列および第2同期信号SSS系列を含み、ここで、第2同期信号SSS系列は、ネットワークノード300内の処理装置100により生成されている。クライアント装置500は、本文書で説明するように、例えば相関のために、クライアント装置500内の処理装置100により生成された第2同期信号SSS系列を用いて、同期信号を受信する。
【０１６６】
簡単にするために、図7に示す無線通信システム700は、ネットワークノード300を1つ、クライアント装置500を1つのみ備える。しかしながら、無線通信システム700は、本発明の範囲を逸脱しない限り、任意の数のネットワークノード300と、任意の数のクライアント装置500を備えてもよい。
【０１６７】
また、ここでのネットワークノード300を、無線ネットワークノード、アクセスネットワークノード、アクセスポイント、または基地局、例えば、無線基地局(RBS: Radio Base Station)と称してもよい。ある種のネットワークは、用いられる技術および用語法に応じて、送信機、「gNB」、「eNB」、「eNodeB」、「NodeB」または「B node」と称されることもある。無線ネットワークノードは、送信電力、およびそれによるセルの大きさにも基づき、例えば、マクロeNodeB、ホームeNodeB、またはピコ基地局など、様々な分類のものであってもよい。無線ネットワークノードは、局(STA: Station)であってもよい。この局(STA)とは、IEEE802.11に準拠するメディアアクセスコントロール(MAC: Media Access Control)と、無線媒体(WM: Wireless Medium)に対する物理レイヤ(PHY: Physical Layer)インターフェースとを含む、任意の装置である。また、ネットワークノード300は、第5世代無線システムに対応した基地局であってもよい。
【０１６８】
ここでのクライアント装置500は、ユーザ装置、ユーザ機器(UE: User Equipment)、移動局、モノのインターネット(IoT)装置、センサー装置、無線端末および/または移動端末と称してもよく、セルラー無線システムとも称することもある無線通信システムでの無線通信が可能である。さらに、UEは、無線機能のある、携帯電話、セルラー電話、コンピュータタブレット、またはラップトップと称してもよい。ここでの文脈では、UEは、例えば、他の受信機またはサーバなどの他者と、無線アクセスネットワークを介して、音声および/またはデータを通信可能な、ポータブル、ポケット収納可能、ハンドヘルド、コンピュータ実装、または車両搭載型の携帯装置であってもよい。UEは、局(STA: Station)であってもよい。この局(STA)とは、IEEE802.11準拠メディアアクセスコントロール(MAC: Media Access Control)と、無線媒体(WM: Wireless Medium)に対する物理レイヤ(PHY: Physical Layer)インターフェースとを含む、任意の装置である。また、クライアント装置500は、3GPP関連LTEおよびLTEアドバンスト、WiMAXおよびそのエボリューション(evolution)、ならびに、New Radioなどの第5世代無線技術での通信用に構成されてもよい。
【０１６９】
さらに、本発明の実施形態による任意の方法が、処理手段により実行されると、処理手段が方法の各ステップを実行するようにする、コード手段を有するコンピュータプログラムに、実装されてもよい。コンピュータプログラムは、コンピュータプログラム製品のコンピュータ可読媒体に含まれていてもよい。コンピュータ可読媒体は、ROM(Read-Only Memory)、PROM(Programmable Read-Only Memory)、EPROM(Erasable PROM)、フラッシュメモリ、EEPROM(Electrically Erasable PROM)またはハードディスクドライブなど、任意のメモリを実質的に含んでもよい。
【０１７０】
さらに、本処理装置100、ネットワークノード300、およびクライアント装置500の実施形態が、必要な通信能力を、例えば、機能、手段、ユニット、要素などの形態で、本解決策を実行するために含んでいることが、当業者により理解される。このような手段、ユニット、要素、および機能などの他の例は、本解決策を実行するのにともに適切に配列された、プロセッサ、メモリ、バッファ、制御ロジック、エンコーダ、デコーダ、レートマッチャ(rate matcher)、デレートマッチャ(de-rate matcher)、マッピングユニット、乗算器、決定ユニット、選択ユニット、スイッチ、インターリーバ(interleaver)、デインターリーバ(de-interleaver)、変調器、復調器、入力、出力、アンテナ、増幅器、受信ユニット、送信ユニット、DSP、MSD、TCMエンコーダ、TCMデコーダ、給電ユニット、給電線、通信インターフェース、通信プロトコルなどである。
【０１７１】
特に、本装置およびノードのプロセッサは、例えば、命令を解釈して実行し得る、中央処理装置(CPU: Central Processing Unit)、処理ユニット、処理回路、プロセッサ、特定用途向け集積回路(ASIC: Application Specific Integrated Circuit)、マイクロプロセッサ、または他の処理ロジックの1つまたは複数の実例を、備えてもよい。このように、「プロセッサ」なる表現は、例えば、上述のうちのあるもの、いくつか、または全てのような複数の処理回路を備えた処理回路構成を表してもよい。処理回路構成は、さらに、呼処理制御、ユーザインターフェース制御などのようなデータバッファリングおよび装置制御機能を含むデータの入力、出力および処理のためのデータ処理機能を実行してもよい。
【０１７２】
一実施形態によると、第2同期信号SSS系列を生成するために利用される第1および第2の2値系列は、疑似ランダム最大長系列、すなわちm系列である。
【０１７３】
一実施形態によると、第2同期信号SSS系列を生成するのに利用される第1および第2の2値系列は、疑似ランダム最大長系列、すなわちm系列であり、生成された第2同期信号SSS系列は、生成されたSSS系列間の低い相互相関を保証するように、m系列に基づいてゴールド系列の1組に属している。ゴールド系列について、以下、より詳細に説明する。
【０１７４】
一実施形態によると、第2同期信号SSS系列を生成するのに利用される第1および第2の2値系列の一方は、同じ2値系列、例えば、同じ疑似ランダム最大長系列であり、1つまたは複数の第1同期信号PSS系列を生成するのに用いられる。
【０１７５】
以下に説明するように、様々な実施形態によると、様々な数の第1同期信号PSS系列が、1つの第1同期信号PSS系列、2つ以上の第1同期信号PSS系列、および3つの第1同期信号PSS系列のような同期信号のために、利用可能であってもよい。このように、ここで説明した、第2同期信号SSS系列の生成は、異なる数の第1同期信号PSS系列とともに用いられ得るものであり、これにより、同期信号の生成が柔軟となり、多数のセルIDおよび/または無線システムに適応可能となる。
【０１７６】
一実施形態によると、以下に例示するように、生成された第2同期信号SSS系列は、長さLが127である。L=127であり、これは、現在入手可能および近々入手可能な無線システムのいくつかに対し、ここに説明した実施形態が、これらのシステムに実装されるように、適合している。
【０１７７】
本発明の一実施形態は、SSS系列、d(k), k=0, 1, 2,…, L-1を開示しており、これらは、循環シフトm0およびm1が異なる2つの長さLの2値系列の2を法とする和に基づいて構築され得る。一実施形態によると、BPSK変調が用いられている。すなわち、
d(k)=1-2((s0((k+m0) mod L)+s1((k+m1) mod L)) mod 2), k=0, 1, 2,…, L-1
(式1)
【０１７８】
2つの2値系列は、例えば、入念に選択された生成多項式を伴う、同じ長さLの2つのm系列として選ばれてもよく、全ての生成されたSSS系列が、ゴールド系列の同じ組に属し、このことが、生成されたSSS系列間の低い相互相関を保証するようになっている。
【０１７９】
例えば、生成多項式は、それぞれ、g0(x)=x7+x4+1およびg1(x)=x7+x+1となるように選択されてもよい。これにより、長さL=127のゴールド系列の組が生成され、これらのうち、n=7をg0(x)およびg1(x)の最高次として、任意の2つの系列の絶対内積(absolute inner product)が1, 2(n+1)/2-1=15または2(n+1)/2+1=17となる。
【０１８０】
一実施形態によると、第2同期信号SSS系列を生成するのに利用される第1および第2の2値系列の一方は、同じ2値系列、例えば、同じ疑似ランダム最大長系列として選択され得るものであり、第1同期信号PSS系列を生成するのに用いられる。このように、同じ2値系列、例えば同じm系列は、ここで、第1同期信号PSS系列を生成すること、第2同期信号SSS系列を生成するのに利用される第1および第2の2値系列の一方を生成することの双方のために用いられてもよい。例えば、生成された第1同期信号PSS系列、および生成された第2同期信号SSS系列の双方は、ここで、ゴールド系列の同じ組に属していてもよく、それにより、生成された第2同期信号SSS系列と生成された第1同期信号PSS系列との間の低い相互相関も保証される。
【０１８１】
セルID
【０１８２】
【数５９】
2020519141.tif 000061
【０１８３】
は、SSSおよびPSSの系列指標、すなわち、
【０１８４】
【数６０】
2020519141.tif 000062
【０１８５】
および
【０１８６】
【数６１】
2020519141.tif 000063
【０１８７】
により伝えられるものであり、例えば2つのm系列のような2つの2値系列の第1のm0および第2のm1の循環シフトに符号化され、PSSが複数であると、第1のm0および第2のm1の循環シフトの少なくとも一方が、PSS系列指標に依存することになる。また、生成されたSSS系列が、同じPSS系列指標と関連づけられていると、剰余周波数オフセットが大きくとも、相互相関が低くなることが保証される。これは、1つのSSS系列が、同じPSS指標と関連づけられた他のSSS系列を、1ステップで循環的にシフトさせることにより取得することができないためである。
【０１８８】
一実施形態によると、m0'=m0+1およびm1'=m1+1の双方を満たす、決定した2つの循環シフト対(m0,m1)および(m0',m1')は、存在しない。換言すると、このことは、任意の2つのSSS循環シフト対(m0,m1)および(m0',m1')として表現されてもよく、m0'=m0+1およびm1'=m1+1のうちのたかだか一方のみを満たしてもよい。これにより、大きな周波数オフセットに対する有利なロバスト性が保証される。本実施形態による循環シフト対は、例えば、PSSで伝えられる系列指標を符号化することにより得られてもよい。すなわち、
【０１８９】
【数６２】
2020519141.tif 000064
【０１９０】
を、2つの2値系列の一方の循環シフト、例えば第1の循環シフトm0としてのみ、得られてもよく、第1の循環シフトm0の任意の2つの候補値が、1つの(1)循環シフトステップよりも大きく互いに離れていることが必要である。このように第1の2値系列の順次的循環シフトは、同時に選択されることはない。このことは、第1の2値系列の非順次的循環シフトのみが選択されることも意味する。第1の循環シフトm0の合計候補値数は、ここでは、最小でも、低複雑性/コストスクランブリングFWHTに基づくSSS検出がクライアント装置500内で利用されるように、保たれる。
【０１９１】
SSSにより伝えられる系列指標、すなわち、
【０１９２】
【数６３】
2020519141.tif 000065
【０１９３】
は、第1および第2の2値系列に対する第1 m0および第2 m1の循環シフトの双方として符号化されてもよい。ここで、第2の循環シフトm1は、その有効値{0, 1, 2,…, L-1}の全てまたはほとんどにわたることが可能である。このようなSSS設計により、あるSSS系列が他のSSS系列を1サイクルシフトステップだけ循環的にシフトさせることにより取得可能になることが回避され、それにより、大きな周波数オフセットに対するロバスト性が保証される。
【０１９４】
なお、PSS系列の指標
【０１９５】
【数６４】
2020519141.tif 000066
【０１９６】
を第1の循環シフトm0として符号化すること、SSS系列の指標
【０１９７】
【数６５】
2020519141.tif 000067
【０１９８】
を第1の循環シフトm0および第2の循環シフトm1として符号化することは、任意の方法でなされる。例えば、m0およびm1は、以下の式において交換されてもよい。第1の循環シフトm0の値が与えられた場合、第2の循環シフトm1の候補値数は、第1の循環シフトm0の様々な値と同じであっても異なっていてもよい。
【０１９９】
本実施形態の一実装形態によると、SSS系列の指標
【０２００】
【数６６】
2020519141.tif 000068
【０２０１】
およびPSS系列の指標
【０２０２】
【数６７】
2020519141.tif 000069
【０２０３】
の第1 m0および第2 m1の循環シフトへの符号化は、以下のように得られる。すなわち、第1の循環シフトm0および第2の循環シフトm1は、以下のように決定される。
【０２０４】
【数６８】
2020519141.tif 000070
【０２０５】
ここで、gは、第1の循環シフトm0の候補値間の最小循環シフトステップサイズであり、1より大きい整数である。L'はSSS系列の長さL以下の正の整数であり、L'≦Lであり、これは、また、所与の第1の循環シフトm0のための第2の循環シフトm1の最大候補値数である。ここで、そして本文書において、
【０２０６】
【数６９】
2020519141.tif 000071
【０２０７】
は、床関数を示し、modは、剰余演算を示す。g>1であるため、任意の2つのSSS系列(m0, m1)および(m0',m1')の循環シフトは、m0'=m0+1およびm1'=m1+1のたかだか一方を満たす。
【０２０８】
非制限的な例として、L=127および
【０２０９】
【数７０】
2020519141.tif 000072
【０２１０】
のNew Radio同期信号の実装につき、本実施形態における本例が実装されてもよいと言うことができる。例えば、g=2、
【０２１１】
【数７１】
2020519141.tif 000073
【０２１２】
およびL'=112として、合計で336×3=1008個のセルIDを伝える。
【０２１３】
本実施形態における本例の模式的かつ非制限的な説明は、
【０２１４】
【数７２】
2020519141.tif 000074
【０２１５】
【数７３】
2020519141.tif 000075
【０２１６】
、L=15、g=2およびL'=8について、図8に提示されている。g=2であるため、m0'=m0+1およびm1'=m1+1の双方を満たす2つの循環シフト対(m0,m1)および(m0',m1')は存在しない。このことは、図8に図示されており、ここで、斜め方向に沿った第2の位置は全て使用されずに残されている。すなわち、選択され得る位置(黒点)は、斜め方向において、選択され得ない位置(白点)により隔てられている。本文書では、図に関連する斜め方向は、m0=m1+cを満たす全ての線/方向を含む。ここで、cは任意の整数である。このように、図8の説明において、m0'=m0+1とm1'=m1+1とは、同時に満たされることはない。図8では、
PSS系列指標
【０２１７】
【数７４】
2020519141.tif 000076
【０２１８】
は、y軸上にあり、ここで、m0=0およびm0=2の双方が同じPSS系列指標
【０２１９】
【数７５】
2020519141.tif 000077
【０２２０】
を有する。すなわち、m0=0およびm0=2の双方が同じPSS系列指標
【０２２１】
【数７６】
2020519141.tif 000078
【０２２２】
と関連づけられている。それに応じて、m0=4およびm0=6の双方が、同じPSS系列指標
【０２２３】
【数７７】
2020519141.tif 000079
【０２２４】
と関連づけられている。なお、PSS系列指標
【０２２５】
【数７８】
2020519141.tif 000080
【０２２６】
の第1の循環シフトm0に対する関連づけ、およびSSS指標
【０２２７】
【数７９】
2020519141.tif 000081
【０２２８】
のm0およびm1に対する関連づけは、図8の順に制約されるわけではない。それ以外に、他の任意の順番も実現可能である。
【０２２９】
さらに、セルID NIDは、実施形態によると、第1の循環シフトm0および第2の循環シフトm1に基づいて決定されてもよい。これは、第1 m0および第2 m1の循環シフト値から
PSS
【０２３０】
【数８０】
2020519141.tif 000082
【０２３１】
およびSSS
【０２３２】
【数８１】
2020519141.tif 000083
【０２３３】
系列指標への単純な逆写像が存在しているために可能であり、これらは、例えば、以下のように記述されてもよい。
【０２３４】
【数８２】
2020519141.tif 000084
【０２３５】
【数８３】
2020519141.tif 000085
【０２３６】
第1 m0および第2 m1の循環シフトに基づき、このようにPSSおよびSSS系列指標
【０２３７】
【数８４】
2020519141.tif 000086
【０２３８】
および
【０２３９】
【数８５】
2020519141.tif 000087
【０２４０】
を簡略に決定することにより、第1 m0および第2 m1の循環シフトからセルIDを決定するために、大規模なテーブルをクライアント装置に実装する必要性が、緩和される。
【０２４１】
一実施形態によると、m0'=m0+1およびm1'=m1+1の双方を満たす決定された2つの循環シフト対(m0,m1)および(m0',m1')は存在しない。すなわち、2つの循環シフト対(m0,m1)および(m0',m1')は、m0'=m0+1およびm1'=m1+1のたかだか一方のみを満たしてもよく、同時に、決定した循環シフト対が、m0<m1(またはm0>m1も等価)を常に満たす。これにより、大きな周波数オフセットに対する有利なロバスト性が保証される。
【０２４２】
本実施形態の一実装形態によると、PSS
【０２４３】
【数８６】
2020519141.tif 000088
【０２４４】
で伝えられる系列指標と、SSS
【０２４５】
【数８７】
2020519141.tif 000089
【０２４６】
で伝えられる系列指標を、第1 m0および第2 m1の循環シフトへと符号化することは、以下のように与えられる。すなわち、第1の循環シフトm0および第2の循環シフトm1は、以下のように決定される。
【０２４７】
【数８８】
2020519141.tif 000090
【０２４８】
ここで、g>1は、第1の循環シフトm0の候補値間の最小ステップサイズであり、L'≦Lは、所与の第1の循環シフトm0に対する第2の循環シフトm1の最大候補値数である。g>1であるため、任意の2つのSSS系列の循環シフト対、例えば(m0, m1)および(m0',m1')は、m0'=m0+1およびm1'=m1+1のたかだか一方を満たす。また、生成された循環シフト対は、m0<m1(またはm0>m1)を常に満たす。SSSが10ms毎に2度、すなわち、各半フレームに1度送信されると、これは、1フレームの半分の間に値m0とm1とを単に交換することにより、SSS系列を用いて(例えばLTEでなされるように)5msのタイミングを示すことが可能となるので、有利である。あるいは、この実装形態により、例えば、SSSでの前提数を後に増加することが有用であるとみなされる場合に、将来のNew Radioのリリースに対して、時代遅れとならない解決策が得られる。
【０２４９】
非制限的な例の説明として、L=127および
【０２５０】
【数８９】
2020519141.tif 000091
【０２５１】
のNew Radio同期信号の実装につき、本実装形態が実装されてもよいと言うことができる。例えば、g=2、
【０２５２】
【数９０】
2020519141.tif 000092
【０２５３】
およびL'=115として、合計で336×3=1008セルIDを伝える。
【０２５４】
本実装形態の非制限的な例が、
【０２５５】
【数９１】
2020519141.tif 000093
【０２５６】
【数９２】
2020519141.tif 000094
【０２５７】
、L=15、g=2およびL'=8について、図9に提示されている。図9では、
PSS系列指標
【０２５８】
【数９３】
2020519141.tif 000095
【０２５９】
は、y軸上にあり、ここで、m0=0およびm0=2の双方が同じPSS系列指標
【０２６０】
【数９４】
2020519141.tif 000096
【０２６１】
を有する。すなわち、m0=0およびm0=2の双方が同じPSS系列指標
【０２６２】
【数９５】
2020519141.tif 000097
【０２６３】
と関連づけられている。それに応じて、m0=4およびm0=6の双方が、同じPSS系列指標
【０２６４】
【数９６】
2020519141.tif 000098
【０２６５】
と関連づけられている。なお、PSS系列指標
【０２６６】
【数９７】
2020519141.tif 000099
【０２６７】
の第1の循環シフトm0に対する関連づけ、およびSSS系列指標
【０２６８】
【数９８】
2020519141.tif 000100
【０２６９】
の第1 m0および第2 m1の循環シフトに対する関連づけは、図9の順に制約されるわけではなく、例えば、他の任意の順番も実現可能である。
【０２７０】
さらに、セルID NIDは、実施形態によると、第1の循環シフトm0および第2の循環シフトm1に基づいて決定されてもよい。これは、第1 m0および第2 m1の循環シフト値から
PSS
【０２７１】
【数９９】
2020519141.tif 000101
【０２７２】
およびSSS
【０２７３】
【数１００】
2020519141.tif 000102
【０２７４】
系列指標への単純な逆写像が存在しているために可能であり、これらは、例えば、以下のように記述されてもよい。
【０２７５】
【数１０１】
2020519141.tif 000103
【０２７６】
第1 m0および第2 m1の循環シフトに基づき、このようにPSS
【０２７７】
【数１０２】
2020519141.tif 000104
【０２７８】
およびSSS
【０２７９】
【数１０３】
2020519141.tif 000105
【０２８０】
系列指標を簡略に決定することにより、第1 m0および第2 m1の循環シフトからセルIDを決定するために、大規模なテーブルをクライアント装置に実装する必要性が、緩和される。
【０２８１】
本実施形態の一実装形態によると、SSS系列の指標
【０２８２】
【数１０４】
2020519141.tif 000106
【０２８３】
およびPSS系列の指標
【０２８４】
【数１０５】
2020519141.tif 000107
【０２８５】
を、第1 m0および第2 m1の循環シフトへと符号化することは、以下のように得られる。すなわち、第1の循環シフトm0および第2の循環シフトm1は、以下のように決定される。
【０２８６】
【数１０６】
2020519141.tif 000108
【０２８７】
ここで、gは、第1の循環シフトm0の候補値間の最小循環シフトステップサイズであり、1より大きい整数、g>1である。L'はSSS系列の長さL以下の正の整数であり、L'≦Lであり、これは、また、所与の第1の循環シフトm0のための第2の循環シフトm1の最大候補値数である。g>1であるため、任意の2つのSSS系列の循環シフト対、(m0, m1)および(m0',m1')は、m0'=m0+1およびm1'=m1+1のたかだか一方を満たす。
【０２８８】
非制限的な例として、L=127および
【０２８９】
【数１０７】
2020519141.tif 000109
【０２９０】
のNew Radio同期信号の実装につき、本実施形態における本例が実装されてもよいと言うことができる。例えば、g=2、
【０２９１】
【数１０８】
2020519141.tif 000110
【０２９２】
およびL'=112として、合計で336×3=1008セルIDを伝える。
【０２９３】
本実施形態における本例の模式的かつ非制限的な説明は、
【０２９４】
【数１０９】
2020519141.tif 000111
【０２９５】
【数１１０】
2020519141.tif 000112
【０２９６】
、L=15、g=2およびL'=8について、図10に提示されている。g=2であるため、m0'=m0+1およびm1'=m1+1の双方を満たす2つの循環シフト対(m0,m1)および(m0',m1')は存在しない。このことは、図10に示されており、ここで、斜め方向に沿った第2の位置は全て使用されずに残されている。すなわち、選択され得る位置(黒点)は、選択され得ない位置(白点)により、斜めに隔てられている。このように、図10の説明において、m0'=m0+1とm1'=m1+1とは、同時に満たされることはない。図10では、
PSS系列指標
【０２９７】
【数１１１】
2020519141.tif 000113
【０２９８】
は、y軸上にあり、ここで、m0=0およびm0=4の双方が同じPSS系列指標
【０２９９】
【数１１２】
2020519141.tif 000114
【０３００】
を有する。すなわち、m0=0およびm0=4の双方が同じPSS系列指標
【０３０１】
【数１１３】
2020519141.tif 000115
【０３０２】
と関連づけられている。それに応じて、m0=2およびm0=6の双方が、同じPSS系列指標
【０３０３】
【数１１４】
2020519141.tif 000116
【０３０４】
と関連づけられている。なお、PSS系列指標
【０３０５】
【数１１５】
2020519141.tif 000117
【０３０６】
の第1の循環シフトm0に対する関連づけ、およびSSS指標
【０３０７】
【数１１６】
2020519141.tif 000118
【０３０８】
のm0およびm1に対する関連づけは、図10の順に制約されるわけではない。それ以外に、他の任意の順番も実現可能である。さらに、セルID NIDは、実施形態によると、第1の循環シフトm0および第2の循環シフトm1に基づいて決定されてもよい。これは、第1 m0および第2 m1の循環シフト値から
PSS
【０３０９】
【数１１７】
2020519141.tif 000119
【０３１０】
およびSSS
【０３１１】
【数１１８】
2020519141.tif 000120
【０３１２】
系列指標への単純な逆写像が存在しているために可能であり、これは、例えば、以下のように記述されてもよい。
【０３１３】
【数１１９】
2020519141.tif 000121
【０３１４】
第1 m0および第2 m1の循環シフトに基づき、このようにPSS
【０３１５】
【数１２０】
2020519141.tif 000122
【０３１６】
およびSSS
【０３１７】
【数１２１】
2020519141.tif 000123
【０３１８】
系列指標を簡略に決定することにより、第1 m0および第2 m1の循環シフトからセルIDを決定するために、大規模なテーブルをクライアント装置に実装する必要性が、緩和される。
【０３１９】
本実施形態の一実装形態によると、PSS
【０３２０】
【数１２２】
2020519141.tif 000124
【０３２１】
で伝えられる系列指標と、SSS
【０３２２】
【数１２３】
2020519141.tif 000125
【０３２３】
で伝えられる系列指標を、第1 m0および第2 m1の循環シフトへと符号化することは、以下のように得られる。すなわち、第1の循環シフトm0および第2の循環シフトm1は、以下のように決定される。
【０３２４】
【数１２４】
2020519141.tif 000126
【０３２５】
ここで、g>1は、第2の循環シフトm1の候補値間の最小ステップサイズであり、L'≦Lは、所与の第1の循環シフトm0に対する第2の循環シフトm1の最大候補値数である。g>1であるため、任意の2つのSSS系列の循環シフト対、例えば(m0, m1)および(m0',m1')は、m0'=m0+1およびm1'=m1+1のたかだか一方を満たす。また、生成/選択された循環シフト対は、m0<m1(またはm0>m1)を常に満たす。SSSが10ms毎に2度、すなわち、各半フレームに1度送信されると、これは、1フレームの半分の間に値m0とm1とを単に交換することにより、SSS系列を用いて(例えばLTEでなされるように)5msのタイミングを示すことが可能となるので、有利である。あるいは、この実装形態により、例えば、SSSでの前提数を後に増加することが有用とみなされる場合に、将来のNew Radioのリリースに対して、時代遅れとならない解決策が得られる。
【０３２６】
非制限的な例として、L=127および
【０３２７】
【数１２５】
2020519141.tif 000127
【０３２８】
のNew Radio同期信号の実装につき、本実装形態が実装されてもよいと言うことができる。例えば、g=2、
【０３２９】
【数１２６】
2020519141.tif 000128
【０３３０】
およびL'=115として、合計で336×3=1008セルIDを伝える。
【０３３１】
本実装形態の非制限的な例の説明が、
【０３３２】
【数１２７】
2020519141.tif 000129
【０３３３】
【数１２８】
2020519141.tif 000130
【０３３４】
、L=15、g=2およびL'=8について、図11に提示されている。図11では、
PSS系列指標
【０３３５】
【数１２９】
2020519141.tif 000131
【０３３６】
は、y軸上にあり、ここで、m0=0およびm0=4の双方が同じPSS系列指標
【０３３７】
【数１３０】
2020519141.tif 000132
【０３３８】
を有する。すなわち、m0=0およびm0=4の双方が同じPSS系列指標
【０３３９】
【数１３１】
2020519141.tif 000133
【０３４０】
と関連づけられている。それに応じて、m0=2およびm0=6の双方が、同じPSS系列指標
【０３４１】
【数１３２】
2020519141.tif 000134
【０３４２】
と関連づけられている。なお、PSS系列指標
【０３４３】
【数１３３】
2020519141.tif 000135
【０３４４】
の第1の循環シフトm0に対する関連づけ、およびSSS系列指標
【０３４５】
【数１３４】
2020519141.tif 000136
【０３４６】
の第1 m0および第2 m1の循環シフトに対する関連づけは、図11の順に制約されるわけではなく、例えば、他の任意の順番も実現可能である。
【０３４７】
さらに、セルID NIDは、実施形態によると、第1の循環シフトm0および第2の循環シフトm1に基づいて決定されてもよい。これは、第1 m0および第2 m1の循環シフト値から
PSS
【０３４８】
【数１３５】
2020519141.tif 000137
【０３４９】
およびSSS
【０３５０】
【数１３６】
2020519141.tif 000138
【０３５１】
系列指標への単純な逆写像が存在しているために可能であり、これは、例えば、以下のように記述されてもよい。
【０３５２】
【数１３７】
2020519141.tif 000139
【０３５３】
第1 m0および第2 m1の循環シフトに基づき、このようにPSS
【０３５４】
【数１３８】
2020519141.tif 000140
【０３５５】
およびSSS
【０３５６】
【数１３９】
2020519141.tif 000141
【０３５７】
系列指標を簡略に決定することにより、第1 m0および第2 m1の循環シフトからセルIDを決定するために、大規模なテーブルをクライアント装置に実装する必要性が、緩和される。
【０３５８】
一実施形態によると、2つの循環シフト対(m0,m1)および(m0',m1')が異なるPSS系列指標
【０３５９】
【数１４０】
2020519141.tif 000142
【０３６０】
と関連づけられている場合、2つの循環シフト対(m0,m1)および(m0',m1')は、m0'=m0+1およびm1'=m1+1の双方を満たすことが可能となる。これにより、大きな周波数オフセットに対するロバスト性が保証される。
【０３６１】
本実施形態による循環シフト対は、例えば、PSSで伝えられる系列指標を符号化することにより得られてもよい。すなわち、2つの2値系列の一方の非順次的循環シフトに対する
【０３６２】
【数１４１】
2020519141.tif 000143
【０３６３】
例えば、第1の循環シフトm0に対する、すなわち、同じ第1同期信号PSS系列指標と関連づけられた第1の循環シフトm0の任意の2つの候補値が、1つの(1)循環シフトステップよりも大きく互いに隔たっているとともに、異なるPSS系列指標
【０３６４】
【数１４２】
2020519141.tif 000144
【０３６５】
が、第1の循環シフトm0の順次的値へと符号化可能となることが、必要である。第1の循環シフトm0の総数は、低コスト/複雑性スクランブリングFWHTに基づくSSS検出がクライアント装置500内で利用可能となるように、最小に保たれる。
【０３６６】
SSSが伝える系列指標、すなわち、
【０３６７】
【数１４３】
2020519141.tif 000145
【０３６８】
は、2つのm系列m0およびm1の循環シフトの双方として符号化されてもよい。ここで、m1は、その有効値{0, 1, 2,…, L-1}の全てまたはほとんどにわたることが可能である。このようなSSS設計は、あるSSS系列が、他のSSS系列を1サイクルシフトステップだけ循環的にシフトさせることにより取得可能であることに、つながってもよい。しかしながら、実施形態によると、このようなSSS系列対は、異なるPSS系列指標
【０３６９】
【数１４４】
2020519141.tif 000146
【０３７０】
と常に関連づけられ、クライアント装置500内でPSSの検出に成功した後には、同時検出されない。
【０３７１】
なお、PSS系列の指標
【０３７２】
【数１４５】
2020519141.tif 000147
【０３７３】
を第1の循環シフトm0として符号化すること、SSS系列の指標
【０３７４】
【数１４６】
2020519141.tif 000148
【０３７５】
を第1の循環シフトm0および第2の循環シフトm1として符号化することは、任意の方法でなされる。すなわち、m0およびm1は、以下の式において交換されてもよい。第1の循環シフトm0の値が与えられた場合、第2の循環シフトm1の候補値数は、第1の循環シフトm0の様々な値と同じであっても異なっていてもよい。
【０３７６】
本実施形態における一実装形態によると、系列指標
【０３７７】
【数１４７】
2020519141.tif 000149
【０３７８】
および
【０３７９】
【数１４８】
2020519141.tif 000150
【０３８０】
を、第1 m0および第2 m1の循環シフトとして符号化することは、以下のように得られてもよい。すなわち、第1 m0および第2 m1の循環シフトは、以下のように決定されてもよい。
【０３８１】
【数１４９】
2020519141.tif 000151
【０３８２】
これは、ここでgは値1に限定されているため、上記の式(10)および(11)において符号化法を制限/限定したものであり、g=1である。実装形態によると、循環シフト対(m0,m1)および(m0',m1')がm0'=m0+1およびm1'=m1+1の双方を満たす2つのSSS系列は、式(18)および(19)により異なるPSS指標と関連づけられている場合に、共存することが可能である。このことは、より有効な値の循環シフト対(m0,m1)が選択され得るため、有利であり、SSS系列長を増やすことなく、可能性としてはより多数のセルIDを符号化し、場合によってはSSS系列に対して他の情報を追加することが可能となる。
【０３８３】
非制限的な例として、L=127および
【０３８４】
【数１５０】
2020519141.tif 000152
【０３８５】
のNew Radio同期信号の実装につき、本実装形態が用いられてもよいと言うことができる。例えば、
【０３８６】
【数１５１】
2020519141.tif 000153
【０３８７】
およびL'=112として、合計で336×3=1008セルIDを伝える。
【０３８８】
本例の説明は、
【０３８９】
【数１５２】
2020519141.tif 000154
【０３９０】
【数１５３】
2020519141.tif 000155
【０３９１】
、L=15およびL'=8について、図12にて与えられている。図12では、
PSS系列指標
【０３９２】
【数１５４】
2020519141.tif 000156
【０３９３】
は、y軸上にあり、ここで、m0=0およびm0=2の双方が同じPSS系列指標
【０３９４】
【数１５５】
2020519141.tif 000157
【０３９５】
を有する。すなわち、m0=0およびm0=2の双方が同じPSS系列指標
【０３９６】
【数１５６】
2020519141.tif 000158
【０３９７】
と関連づけられている。それに応じて、m0=1およびm0=3の双方が、同じPSS系列指標
【０３９８】
【数１５７】
2020519141.tif 000159
【０３９９】
と関連づけられている。なお、PSS系列指標
【０４００】
【数１５８】
2020519141.tif 000160
【０４０１】
の第1の循環シフトm0に対する関連づけ、およびSSS系列指標
【０４０２】
【数１５９】
2020519141.tif 000161
【０４０３】
の第1 m0および第2 m1の循環シフトに対する関連づけは、図12の順に制約されるわけではない。これ以外にも、同じPSS指標
【０４０４】
【数１６０】
2020519141.tif 000162
【０４０５】
と関連づけられた任意の2つのSSS系列の循環シフト対、例えば、(m0,m1)および(m0',m1')が、m0'=m0+1およびm1'=m1+1のたかだか一方を満たす限りにおいて、他の任意の順番が実現可能である。
【０４０６】
さらに、セルID NIDは、実施形態によると、第1の循環シフトm0および第2の循環シフトm1に基づいて決定されてもよい。これは、第1 m0および第2 m1の循環シフト値から
PSS
【０４０７】
【数１６１】
2020519141.tif 000163
【０４０８】
およびSSS
【０４０９】
【数１６２】
2020519141.tif 000164
【０４１０】
系列指標への単純な逆写像が存在しているために可能であり、これは、例えば、以下のように記述されてもよい。
【０４１１】
【数１６３】
2020519141.tif 000165
【０４１２】
これは、gの値1について、上記の式(12)および(13)における逆写像の限定/制限されたものであり、g=1である。これにより、第1 m0および第2 m1の循環シフト値からセルIDを決定するのに、大規模なテーブルをクライアント装置500に実装する必要性が緩和される。
【０４１３】
一実施形態によると、2つの循環シフト対(m0,m1)および(m0',m1')が異なるPSS系列指標
【０４１４】
【数１６４】
2020519141.tif 000166
【０４１５】
と関連づけられている場合、2つの循環シフト対(m0,m1)および(m0',m1')は、m0'=m0+1およびm1'=m1+1の双方を満たすことが可能となり、生成された循環シフト対は、m0<m1(または、m0>m1)を常に満たしている。
【０４１６】
本実施形態における一実装形態によると、系列指標
【０４１７】
【数１６５】
2020519141.tif 000167
【０４１８】
および
【０４１９】
【数１６６】
2020519141.tif 000168
【０４２０】
を、第1 m0および第2 m1の循環シフトとして符号化することは、以下のように得られてもよい。すなわち、第1 m0および第2 m1の循環シフトは、以下のように決定されてもよい。
【０４２１】
【数１６７】
2020519141.tif 000169
【０４２２】
これは、ここでgは値1に限定されているため、上記の式(14)および(15)において符号化法を制限/限定したものであり、g=1である。実装形態によると、循環シフト対(m0,m1)および(m0',m1')がm0'=m0+1およびm1'=m1+1の双方を満たす2つのSSS系列は、式(22)および(23)により異なるPSS指標と関連づけられている場合、および生成された循環シフト対が常にm0<m1(またはm0>m1も等価)を満たす場合に、共存することが可能である。このことは、上述のように有利である。これは、例えばLTEにて用いられているように、m0およびm1の値を交換することにより、SSS系列を用いて5msのタイミングを示すことが可能となるためである。あるいは、SSSでの前提数を後に増加することが有用であるとみなされる場合に、将来のNew Radioのリリースに対して、時代遅れとならない解決策を構成する。
【０４２３】
非制限的な例として、L=127および
【０４２４】
【数１６８】
2020519141.tif 000170
【０４２５】
のNew Radio同期信号の実装につき、本実装形態が用いられてもよいと言うことができる。例えば、
【０４２６】
【数１６９】
2020519141.tif 000171
【０４２７】
およびL'=112として、合計で336×3=1008セルIDを伝える。このような一実装形態の非制限的な説明が、
【０４２８】
【数１７０】
2020519141.tif 000172
【０４２９】
【数１７１】
2020519141.tif 000173
【０４３０】
、L=15およびL'=8について、図13に提示されている。図13では、PSS系列指標
【０４３１】
【数１７２】
2020519141.tif 000174
【０４３２】
は、y軸上にあり、ここで、m0=0およびm0=2の双方が同じPSS系列指標
【０４３３】
【数１７３】
2020519141.tif 000175
【０４３４】
を有する。すなわち、m0=0およびm0=2の双方が同じPSS系列指標
【０４３５】
【数１７４】
2020519141.tif 000176
【０４３６】
と関連づけられている。それに応じて、m0=1およびm0=3の双方が、同じPSS系列指標
【０４３７】
【数１７５】
2020519141.tif 000177
【０４３８】
と関連づけられている。なお、PSS系列指標
【０４３９】
【数１７６】
2020519141.tif 000178
【０４４０】
の第1の循環シフトm0に対する関連づけ、およびSSS系列指標
【０４４１】
【数１７７】
2020519141.tif 000179
【０４４２】
の第1 m0および第2 m1の循環シフトに対する関連づけは、図13の順に制約されるわけではない。これ以外にも、同じPSS指標
【０４４３】
【数１７８】
2020519141.tif 000180
【０４４４】
と関連づけられた任意の2つのSSS系列の循環シフト対、例えば、(m0,m1)および(m0',m1')が、m0'=m0+1およびm1'=m1+1のたかだか一方を満たす限りにおいて、また、生成された循環シフト対がm0< m1(またはm0>m1)を常に満たす場合に、他の任意の順番が実現可能である。
【０４４５】
さらに、セルID NIDは、実施形態によると、第1の循環シフトm0および第2の循環シフトm1に基づいて決定されてもよい。これは、第1 m0および第2 m1の循環シフト値から
PSS
【０４４６】
【数１７９】
2020519141.tif 000181
【０４４７】
およびSSS
【０４４８】
【数１８０】
2020519141.tif 000182
【０４４９】
系列指標への単純な逆写像が存在しているために可能であり、これは、例えば、以下のように記述されてもよい。
【０４５０】
【数１８１】
2020519141.tif 000183
【０４５１】
これは、ここでgは値1に限定されているため、上記の式(16)および(17)において逆写像を制限/限定したものであり、g=1である。これにより、第1 m0および第2 m1の循環シフト値からセルIDを決定するのに、大規模なテーブルをクライアント装置500に実装する必要性が緩和される。
【０４５２】
上述のように、少なくとも1つのセルID NIDと関連づけられた第1の循環シフトm0および第2の循環シフトm1は、ここに説明したいくつもの実施形態により決定されてもよく、それにより、相互に様々に関連することになる。
【０４５３】
ここで説明したいくつかの実施形態、例えば図8、図10および図12に説明したものによると、第1 m0および第2 m1の循環シフトは、第1の循環シフトm0および第2の循環シフトm1が等しく、m0=m1であり、すなわち、座標の原点を通って斜め方向に使用可能な位置があるように、決定されてもよい。
【０４５４】
ここで説明したいくつかの実施形態、例えば図9、図11および図13に説明したものによると、第1 m0および第2 m1の循環シフトは、第1の循環シフトm0と第2の循環シフトm1とが互いに異なり、m0≠m1であり、座標の原点を通って斜め方向に使用可能な位置がないように、決定されてもよい。
【０４５５】
ここで説明したいくつかの実施形態によると、第1 m0および第2 m1の循環シフトは、第1の循環シフトm0が第2の循環シフトm1より大きく、m0>m1であり、すなわち、座標の原点を通って斜め方向より上にのみ使用可能な位置があるように、決定されてもよい。
【０４５６】
ここで説明したいくつかの実施形態、例えば図9、図11および図13に説明したものによると、第1 m0および第2 m1の循環シフトは、第1の循環シフトm0が第2の循環シフトm1未満であり、m0<m1であり、すなわち、座標の原点を通って斜め方向より下にのみ使用可能な位置があるように、決定されてもよい。
【０４５７】
ここで説明したいくつかの実施形態、例えば図8、図9、図10および図11に説明したものによると、第1 m0および第2 m1の循環シフトは、2つの循環シフト対(m0,m1)および(m0',m1')がm0'=m0+1およびm1'=m1+1のたかだか一方を満たすように決定されてもよい。すなわち、斜め方向において使用可能な位置の間には、常に未使用の位置が存在する。
【０４５８】
ここで説明したいくつかの実施形態によると、第1 m0および第2 m1の循環シフトは、2つの循環シフト対(m0,m1)および(m0',m1')がm0'=m0+1およびm1'=m1+1のたかだか一方を満たすように、かつ第1の循環シフトm0が第2の循環シフトm1より大きく、m0>m1となるように、決定されてもよい。すなわち、斜め方向において使用可能な位置の間には、常に未使用の位置が存在し、座標の原点を通って斜め方向より上にのみ使用可能な位置が存在する。
【０４５９】
ここで説明したいくつかの実施形態、例えば図9および図11に説明したものによると、第1 m0および第2 m1の循環シフトは、2つの循環シフト対(m0,m1)および(m0',m1')がm0'=m0+1およびm1'=m1+1のたかだか一方を満たすように、かつ第1の循環シフトm0が第2の循環シフトm1より小さく、m0<m1となるように、決定されてもよい。すなわち、斜め方向において使用可能な位置の間には、常に未使用の位置が存在し、座標の原点を通って斜め方向より下にのみ使用可能な位置が存在する。
【０４６０】
ここで説明したいくつかの実施形態、例えば図12および図13に説明したものによると、第1 m0および第2 m1の循環シフトは、m0'=m0+1およびm1'=m1+1の双方を満たす2つの循環シフト対(m0,m1)および(m0',m1')が別々の第1同期信号PSS系列座標
【０４６１】
【数１８２】
2020519141.tif 000184
【０４６２】
と関連づけられるように、決定されてもよい。
【０４６３】
ここで説明したいくつかの実施形態によると、第1 m0および第2 m1の循環シフトは、m0'=m0+1およびm1'=m1+1の双方を満たす2つの循環シフト対(m0,m1)および(m0',m1')が別々の第1同期信号PSS系列指標
【０４６４】
【数１８３】
2020519141.tif 000185
【０４６５】
と関連づけられ、第1の循環シフトm0が第2の循環シフトm1より大きく、m0>m1となるように、決定されてもよい。すなわち、座標の原点を通って斜め方向より上にのみ使用可能な位置が存在する。
【０４６６】
ここで説明したいくつかの実施形態、例えば図13に説明したものによると、第1 m0および第2 m1の循環シフトは、m0'=m0+1およびm1'=m1+1の双方を満たす2つの循環シフト対(m0,m1)および(m0',m1')が別々の第1同期信号(PSS)系列指標
【０４６７】
【数１８４】
2020519141.tif 000186
【０４６８】
と関連づけられ、第1の循環シフトm0が第2の循環シフトm1より小さく、m0<m1となるように、決定されてもよい。すなわち、座標の原点を通って斜め方向より下にのみ使用可能な位置が存在する。
【０４６９】
最後に、本発明は、上記の実施形態に限定されるものではなく、添付の独立請求項の範囲内の全ての実施形態にも関連するとともにこれらを含むことを理解されたい。
【符号の説明】
【０４７０】
100  処理装置
102  プロセッサ
104  メモリ
106  通信手段
200  方法
300  ネットワークノード
302  送受信部
304  メモリ
306  通信手段
308  アンテナ
400  方法
500  クライアント装置
502  送受信部
504  メモリ
506  通信手段
508  アンテナ
600  方法
700  無線通信システム
【図１】
2020519141.tif 000253
【図２】
2020519141.tif 000254
【図３】
2020519141.tif 000255
【図４】
2020519141.tif 000256
【図５】
2020519141.tif 000257
【図６】
2020519141.tif 000258
【図７】
2020519141.tif 000259
【図８】
2020519141.tif 000260
【図９】
2020519141.tif 000261
【図１０】
2020519141.tif 000262
【図１１】
2020519141.tif 000263
【図１２】
2020519141.tif 000264
【図１３】
2020519141.tif 000265
【手続補正書】
【提出日】令和2年1月6日(2020.1.6)
【手続補正１】
【補正対象書類名】特許請求の範囲
【補正対象項目名】全文
【補正方法】変更
【補正の内容】
【特許請求の範囲】
【請求項１】
無線通信のためのクライアント装置であって、
第1同期信号(PSS: primary synchronization signal)および第2同期信号(SSS: secondary synchronization signal)を含む通信信号を、受信するように構成された送受信部と、
受信した前記PSSおよびSSSに基づいて決定された、第1の循環シフトm0および第2の循環シフトm1に基づき、セル識別(ID) NIDを決定するように構成された処理装置とを、備え、
前記第1の循環シフトm0および前記第2の循環シフトm1は、
【数１】
2020519141.tif 000266
を満たし、
ここで、
gは、1以上の整数であり、
L'は、112であり、
【数２】
2020519141.tif 000267
かつ
【数３】
2020519141.tif 000268
である、クライアント装置。
【請求項２】
前記SSSのためのSSS系列は、前記第1の循環シフトm0に対応する第1の2値系列と、前記第2の循環シフトm1に対応する第2の2値系列とで形成され、前記第1の2値系列および前記第2の2値系列は長さが同じである、請求項1に記載のクライアント装置。
【請求項３】
前記第1の2値系列の生成多項式は、g0(x)=x7+x4+1であり、前記第2の2値系列の生成多項式は、g1(x)=x7+x+1である、請求項2に記載のクライアント装置。
【請求項４】
前記処理装置は、前記セルID NIDと関連づけられた、前記第1の循環シフトm0および前記第2の循環シフトm1を決定し、前記セルID NIDを、前記第1の循環シフトm0および第2の循環シフトm1に従って決定するように構成され、
【数４】
2020519141.tif 000269
である、請求項1から3のいずれか一項に記載のクライアント装置。
【請求項５】
PSSについてのPSS系列は、
【数５】
2020519141.tif 000270
と関連づけられている、請求項1から4のいずれか一項に記載のクライアント装置。
【請求項６】
前記PSSは、同期のための3つのPSS系列の1つに基づいて生成される、請求項1から5のいずれか一項に記載のクライアント装置。
【請求項７】
前記処理装置は、前記SSSに基づくスクランブル解読および高速ウォルシュ-アダマール変換(FWHT: fast Walsh-Hadamard transform)演算により、同期のためのSSS系列を取得するように構成された、請求項1から6のいずれか一項に記載のクライアント装置。
【請求項８】
前記処理装置は、前記第1の循環シフトm0および前記第2の循環シフトm1に基づいてSSS系列を生成するように構成されている、請求項1から7のいずれか一項に記載のクライアント装置。
【請求項９】
【数６】
2020519141.tif 000271
は3であり、
【数７】
2020519141.tif 000272
である、請求項1から8のいずれか一項に記載のクライアント装置。
【請求項１０】
【数８】
2020519141.tif 000273
は336であり、
【数９】
2020519141.tif 000274
である、請求項1から9のいずれか一項に記載のクライアント装置。
【請求項１１】
前記SSSについてのSSS系列は、長さLが127である、請求項1から10のいずれか一項に記載のクライアント装置。
【請求項１２】
無線通信のための処理装置であって、
PSS系列に基づいて生成された第1同期信号(PSS)、およびSSS系列に基づいて生成された第2同期信号(SSS)を取得し、
受信した前記PSSおよびSSSに基づいて決定された、第1の循環シフトm0および第2の循環シフトm1に基づき、セル識別(ID) NIDを決定するように構成されたプロセッサを備え、
前記第1の循環シフトm0および前記第2の循環シフトm1は、
【数１０】
2020519141.tif 000275
を満たし、
ここで、
gは、1以上の整数であり、
L'は、112であり、
【数１１】
2020519141.tif 000276
かつ
【数１２】
2020519141.tif 000277
である、処理装置。
【請求項１３】
前記SSSのためのSSS系列は、前記第1の循環シフトm0に対応する第1の2値系列と、前記第2の循環シフトm1に対応する第2の2値系列とで形成され、前記第1の2値系列および前記第2の2値系列は長さが同じである、請求項12に記載の処理装置。
【請求項１４】
前記第1の2値系列の生成多項式は、g0(x)=x7+x4+1であり、前記第2の2値系列の生成多項式は、g1(x)=x7+x+1である、請求項13に記載の処理装置。
【請求項１５】
前記プロセッサは、前記第1の循環シフトm0および前記第2の循環シフトm1を決定し、前記セルID NIDを、前記第1の循環シフトm0および前記第2の循環シフトm1に従って決定するように構成され、
【数１３】
2020519141.tif 000278
である、請求項12から14のいずれか一項に記載の処理装置。
【請求項１６】
前記PSSについてのPSS系列は、
【数１４】
2020519141.tif 000279
と関連づけられている、請求項12から15のいずれか一項に記載の処理装置。
【請求項１７】
前記PSSは、同期のための3つのPSS系列の1つに基づいて生成される、請求項12から16のいずれか一項に記載の処理装置。
【請求項１８】
前記プロセッサは、前記SSSに基づくスクランブル解読および高速ウォルシュ-アダマール変換(FWHT)演算により、同期のためのSSS系列を取得するように構成された、請求項12から17のいずれか一項に記載の処理装置。
【請求項１９】
前記プロセッサは、前記第1の循環シフトm0および前記第2の循環シフトm1に基づいてSSS系列を生成するように構成されている、請求項12から18のいずれか一項に記載の処理装置。
【請求項２０】
【数１５】
2020519141.tif 000280
は3であり、
【数１６】
2020519141.tif 000281
である、請求項12から19のいずれか一項に記載の処理装置。
【請求項２１】
【数１７】
2020519141.tif 000282
は336であり、
【数１８】
2020519141.tif 000283
である、請求項12から20のいずれか一項に記載の処理装置。
【請求項２２】
前記SSSについてのSSS系列は、長さLが127である、請求項12から21のいずれか一項に記載の処理装置。
【請求項２３】
第1同期信号(PSS)および第2同期信号(SSS)を含む通信信号を受信するステップと、
受信した前記PSSおよびSSSに基づいて決定された、第1の循環シフトm0および第2の循環シフトm1に基づき、セル識別(ID) NIDを決定するステップとを、含み、
前記第1の循環シフトm0および前記第2の循環シフトm1は、
【数１９】
2020519141.tif 000284
を満たし、
ここで、
gは、1以上の整数であり、
L'は、112であり、
【数２０】
2020519141.tif 000285
かつ
【数２１】
2020519141.tif 000286
である、無線通信方法。
【請求項２４】
前記SSSのためのSSS系列は、前記第1の循環シフトm0に対応する第1の2値系列と、前記第2の循環シフトm1に対応する第2の2値系列とで形成され、前記第1の2値系列および前記第2の2値系列は長さが同じである、請求項23に記載の方法。
【請求項２５】
前記第1の2値系列の生成多項式は、g0(x)=x7+x4+1であり、前記第2の2値系列の生成多項式は、g1(x)=x7+x+1である、請求項24に記載の方法。
【請求項２６】
第1の循環シフトm0および第2の循環シフトm1に基づき、セル識別(ID) NIDを決定する前記ステップは、
前記セルID NIDと関連づけられた、前記第1の循環シフトm0および前記第2の循環シフトm1を決定し、前記セルID NIDを、前記第1の循環シフトm0および前記第2の循環シフトm1に従って決定するステップを含み、
【数２２】
2020519141.tif 000287
である、請求項23から25のいずれか一項に記載の方法。
【請求項２７】
PSSについてのPSS系列は、
【数２３】
2020519141.tif 000288
と関連づけられている、請求項23から26のいずれか一項に記載の方法。
【請求項２８】
前記PSSは、同期のための3つのPSS系列の1つに基づいて生成される、請求項23から27のいずれか一項に記載の方法。
【請求項２９】
前記SSSに基づくスクランブル解読および高速ウォルシュ-アダマール変換(FWHT)演算により、同期のためのSSS系列を取得するステップを、さらに含む、請求項23から28のいずれか一項に記載の方法。
【請求項３０】
前記第1の循環シフトm0および前記第2の循環シフトm1に基づいてSSS系列を生成するステップを、さらに含む、請求項23から29のいずれか一項に記載の方法。
【請求項３１】
【数２４】
2020519141.tif 000289
は3であり、
【数２５】
2020519141.tif 000290
である、請求項23から30のいずれか一項に記載の方法。
【請求項３２】
【数２６】
2020519141.tif 000291
は336であり、
【数２７】
2020519141.tif 000292
である、請求項23から31のいずれか一項に記載の方法。
【請求項３３】
前記SSSについてのSSS系列は、長さLが127である、請求項23から32のいずれか一項に記載の方法。
【請求項３４】
コンピュータプログラムを含むコンピュータ可読媒体であって、前記コンピュータプログラムは、コンピュータにより実行されると、前記コンピュータに、請求項23から33のいずれか一項に記載の方法を実行させる、コンピュータ可読媒体。
【請求項３５】
コンピュータ上で実行されると、請求項23から33のいずれか一項に記載の方法を実行するプログラムコードを有する、コンピュータプログラム。
【国際調査報告】
2020519141.tif 000293
2020519141.tif 000294
2020519141.tif 000295